(57)【要約】      （修正有）【課題】スペース的にネットワークタイムレコ−ダに用いる専用端末機の置けないところや、コスト的に同専用端末機を置けない場合であっても、省スペース、低コストで従業者等勤務者の勤務状況を把握できる仕組みを提供する。【解決手段】勤務情報請求装置２０からの要求に応じて、勤務情報生成装置１０にて生成装置情報を含む勤務情報を所定時間毎に異なった内容で生成し、出力する。出力した勤務情報を勤務情報請求装置２０が受け付ける。受け付けた勤務情報を勤務情報取得装置３０にて取得し、更に所定の勤務情報収集装置４０へ送信する。送られた勤務情報を勤務情報収集装置４０が受付け、受付けた勤務情報の請求装置情報より勤務先を特定すると共に、取得装置情報より勤務先へ勤務した勤務者を特定する。その後、特定した勤務先及び勤務者を勤務情報として勤務情報収集装置４０に記録し、さらに、この勤務情報を勤怠管理装置６０へ送信する。【選択図】図１
2006018793.tif 000002
【特許請求の範囲】
【請求項１】
所定の場所に設置された勤務情報生成装置と、勤務先にて勤務者の出退勤といった所定の行動を確認する管理者が操作する勤務情報請求装置と、勤務先に勤務する勤務者が操作する勤務情報取得装置と、勤務者の勤務情報を収集する勤務情報収集装置とを有するシステムであって、
上記勤務情報生成装置は、
時間を計時する計時手段と、
上記勤務情報請求装置から勤務情報の生成要求を受け付ける勤務情報生成要求受付手段と、
上記勤務情報生成要求受付手段で受け付けた勤務情報生成要求から、当該勤務情報請求装置の識別情報を抽出する請求装置情報抽出手段と、
上記抽出した当該勤務情報請求装置の識別情報を一時的に記憶する第１の識別情報記憶手段と、
上記勤務情報生成要求受付手段で受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する勤務情報生成手段と、
上記勤務情報生成手段にて生成された勤務情報を、勤務情報生成要求のあった当該勤務情報請求装置へ返信する勤務情報送信手段と、を有し、
上記勤務情報請求装置は、
当該勤務情報請求装置の識別情報を記憶する第２の識別情報記憶手段と、
上記第２の識別情報記憶手段に記憶している当該勤務情報請求装置の識別情報を含めて、上記勤務情報生成装置への勤務情報の生成要求を行なう勤務情報請求手段と、
上記勤務情報生成装置から送信された勤務情報を受け付ける勤務情報受付手段と、
上記受け付けた勤務情報を一時的に記憶する勤務情報記憶手段と、
上記記憶する勤務情報を当該勤務情報請求装置の表示部に出力表示する勤務情報出力表示手段と、を有し、
上記勤務情報取得装置は、
上記出力表示された勤務情報を取得する取得手段と、
当該勤務情報取得装置の識別情報を記憶する第３の識別情報記憶手段と、
取得した勤務情報及び上記第３の識別情報記憶手段に記憶されている勤務情報取得装置の識別情報を出力する出力手段と、を有し、
上記勤務情報収集装置は、
上記勤務情報請求装置の識別情報と当該勤務情報請求装置を操作する管理者が存在する場所情報とを関連付けて記憶する勤務地情報記憶手段と、
上記勤務情報取得装置の識別情報と当該勤務情報取得装置を操作する勤務者情報とを関連付けて記憶する勤務者情報記憶手段と、
上記勤務情報取得装置から出力された勤務情報及び勤務情報取得装置識別情報を収集する収集処理手段と、
取得した勤務情報に含まれている勤務情報請求装置の識別情報、及び時間データを抽出し、上記勤務地情報記憶手段を参照して抽出した勤務情報請求装置の識別情報に対応する場所情報を特定する勤務先特定手段と、
上記勤務者情報記憶手段を参照して取得した勤務情報取得装置の識別情報に対応する勤務者情報を特定する勤務者特定手段と、
上記勤務情報から抽出した時間データと、上記特定した場所情報及び勤務者情報とを関連付けて記憶する勤務状況記憶手段と、
を有することを特徴とする勤務情報処理システム。
【請求項２】
上記勤務情報生成装置は、上記勤務情報請求装置の識別情報と生成した勤務情報の送信先情報とを関連付けて記憶する送信先情報記憶手段を更に有することを特徴とする請求項１記載の勤務情報処理システム。
【請求項３】
所定の場所に設置された勤務情報生成補助装置と、勤務先にて勤務者の出退勤といった所定の行動を確認する管理者が操作する勤務情報請求生成装置と、勤務先に勤務する勤務者が操作する勤務情報取得装置と、勤務者の勤務情報を収集する勤務情報収集装置とを有するシステムであって、
上記勤務情報生成補助装置は、
時間を計時する計時手段と、
勤務情報を生成するプログラムを記憶するプログラム記憶手段と、
上記勤務情報請求生成装置から勤務情報を生成するプログラムの取得要求を受け付ける勤務情報生成プログラム要求受付手段と、
上記プログラムの取得要求に応じて、上記計時手段で計時した時間データ、及び当該時間データに基づいて時刻に応じて異なる勤務情報を生成するプログラムを出力する勤務情報出力手段と、を有し、
上記勤務情報請求生成装置は、
上記勤務情報生成補助装置へ勤務情報を生成するプログラムを要求する勤務情報生成プログラム請求手段と、
当該勤務情報請求生成装置の識別情報を記憶する第１の識別情報記憶手段と、
上記勤務情報生成補助装置から出力された時間データ、及び勤務情報生成プログラムを受け付けるプログラム受付手段と、
上記受け付けた時間データ、及び勤務情報生成プログラムを一時的に記憶するプログラム記憶手段と、
上記記憶するプログラムに基づいて、上記時間データ、及び上記第１の識別情報記憶手段に記憶されている識別情報を含む勤務情報を生成する勤務情報生成手段と、
上記勤務情報生成手段にて生成された勤務情報を、当該勤務情報請求生成装置の表示部に出力表示する勤務情報出力表示手段と、を有し、
上記勤務情報取得装置は、
当該勤務情報取得装置の識別情報を記憶する第２の識別情報記憶手段と、
上記勤務情報出力表示手段に出力表示された勤務情報を取得する取得手段と、
取得した勤務情報及び上記第２の識別情報記憶手段に記憶されている勤務情報取得装置の識別情報を出力する出力手段と、を有し、
上記勤務情報収集装置は、
上記勤務情報請求生成装置の識別情報と当該勤務情報請求生成装置を操作する管理者が存在する場所情報とを関連付けて記憶する勤務地情報記憶手段と、
上記勤務情報取得装置の識別情報と当該勤務情報取得装置を操作する勤務者情報とを関連付けて記憶する勤務者情報記憶手段と、
上記勤務情報取得装置から出力された勤務情報及び勤務情報取得装置識別情報を収集する収集処理手段と、
取得した勤務情報に含まれている勤務情報請求生成装置の識別情報、及び時間データを抽出し、上記勤務地情報記憶手段を参照して抽出した勤務情報請求生成装置の識別情報に対応する場所情報を特定する勤務先特定手段と、
上記勤務者情報記憶手段を参照して取得した勤務情報取得装置の識別情報に対応する勤務者情報を特定する勤務者特定手段と、
上記勤務情報から抽出した時間データと、上記特定した場所情報及び勤務者情報とを関連付けて記憶する勤務状況記憶手段と、
を有することを特徴とする勤務情報処理システム。
【請求項４】
上記勤務情報出力表示手段は、上記勤務情報を取得する取得手段からの勤務情報取得要求に応じて、上記勤務情報記憶手段にて記憶し、表示部に表示する勤務情報を無線で送信することにより出力応答し、
上記勤務情報を取得する取得手段は、上記勤務情報出力表示手段より無線で送信された勤務情報を受信することにより勤務情報を取得する、
請求項１から３いずれかの項に記載の勤務情報処理システム。
【請求項５】
所定の場所に設置された勤務情報生成装置と、勤務先にて勤務者の出退勤といった所定の行動を確認する管理者が操作する勤務情報請求取得装置と、勤務先に勤務する勤務者が操作する勤務者装置と、勤務者の勤務情報を収集する勤務情報収集装置とを有するシステムであって、
上記勤務情報生成装置は、
時間を計時する計時手段と、
上記勤務情報請求取得装置から勤務情報の生成要求を受け付ける勤務情報生成要求受付手段と、
上記勤務情報生成要求受付手段で受け付けた勤務情報生成要求から、当該勤務情報請求装置の識別情報を抽出する請求装置情報抽出手段と、
上記抽出した当該勤務情報請求装置の識別情報を一時的に記憶する第１の識別情報記憶手段と、
上記勤務情報生成要求受付手段で受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する勤務情報生成手段と、
上記勤務情報生成手段にて生成された勤務情報を、勤務情報生成要求のあった当該勤務情報請求装置へ返信する勤務情報送信手段と、を有し、
上記勤務情報請求取得装置は、
当該勤務情報請求取得装置の識別情報を記憶する第２の識別情報記憶手段と、
勤務情報の送信先情報を記憶する送信先情報記憶手段と
勤務者装置から勤務者装置識別情報を取得する手段と、
上記取得した勤務者装置識別情報を一時的に記憶する勤務者装置識別情報記憶手段と、
上記第２の識別情報記憶手段に記憶している当該勤務情報請求装置の識別情報、及び上記勤務者装置識別情報記憶手段に記憶している勤務者装置識別情報を含めて、上記勤務情報生成装置への勤務情報の生成要求を行なう勤務情報請求手段と、
上記勤務情報生成装置から送信された勤務情報を受け付ける勤務情報受付手段と、
上記受け付けた勤務情報を一時的に記憶する勤務情報記憶手段と、
上記記憶する勤務情報を上記送信先情報記憶手段に記憶されている送信先に対して出力する手段と、を有し、
上記勤務者装置は、
当該勤務者装置の識別情報を記憶する第３の識別情報記憶手段と、
上記第３の識別情報記憶手段に記憶されている勤務者装置識別情報を出力する出力手段と、を有し、
上記勤務情報収集装置は、
上記勤務情報請求取得装置の識別情報と当該勤務情報請求取得装置を操作する管理者が存在する場所情報とを関連付けて記憶する勤務地情報記憶手段と、
上記勤務者装置の識別情報と当該勤務者装置を操作する勤務者情報とを関連付けて記憶する勤務者情報記憶手段と、
上記勤務情報請求取得装置から出力された勤務情報及び勤務者装置識別情報を収集する収集処理手段と、
取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する勤務先特定手段と、
上記勤務者情報記憶手段を参照して取得した勤務者装置の識別情報に対応する勤務者情報を特定する勤務者特定手段と、
上記勤務情報から抽出した時間データと、上記特定した場所情報及び勤務者情報とを関連付けて記憶する勤務状況記憶手段と、
を有することを特徴とする勤務情報処理システム。
【請求項６】
所定の場所に設置された勤務情報生成補助装置と、勤務先にて勤務者の出退勤といった所定の行動を確認する管理者が操作する勤務情報請求取得装置と、勤務先に勤務する勤務者が操作する勤務者装置と、勤務者の勤務情報を収集する勤務情報収集装置とを有するシステムであって、
上記勤務情報生成補助装置は、
時間を計時する計時手段と、
勤務情報を生成するプログラムを記憶するプログラム記憶手段と、
上記勤務情報請求取得装置から勤務情報を生成するプログラムの要求を受け付ける勤務情報生成プログラム要求受付手段と、
上記勤務情報生成プログラム要求受付手段で受け付けたプログラムの要求に応じ、上記計時手段で計時した時間データ、及び当該時間データに基づいて時刻に応じて異なる勤務情報を生成する、上記プログラム記憶手段に記憶手段に記憶されている勤務情報生成プログラムを出力する勤務情報出力手段と、を有し、
上記勤務情報請求取得装置は、
上記勤務情報生成補助装置へ勤務情報を生成するプログラムを要求する勤務情報生成プログラム請求手段と、
当該勤務情報請求取得装置の識別情報を記憶する第１の識別情報記憶手段と、
勤務情報の送信先情報を記憶する送信先情報記憶手段と
勤務者装置から勤務者装置識別情報を取得する手段と、
上記取得した勤務者装置識別情報を一時的に記憶する勤務者装置識別情報記憶手段と、
上記勤務情報生成補助装置から出力された時間データ、及び勤務情報生成プログラムを受け付けるプログラム受付手段と、
上記受け付けた時間データ、及び勤務情報生成プログラムを一時的に記憶するプログラム記憶手段と、
上記記憶するプログラムに基づいて、上記時間データ、上記第１の識別情報記憶手段に記憶されている識別情報、及び上記勤務者装置識別情報記憶手段に記憶している勤務者装置識別情報を含む勤務情報を生成する勤務情報生成手段と、
上記勤務情報生成手段にて生成された勤務情報を、上記送信先情報記憶手段に記憶されている送信先に対して出力する手段と、を有し、
上記勤務情報収集装置は、
上記勤務情報請求取得装置の識別情報と当該勤務情報請求取得装置を操作する管理者が存在する場所情報とを関連付けて記憶する勤務地情報記憶手段と、
上記勤務者装置の識別情報と当該勤務者装置を操作する勤務者情報とを関連付けて記憶する勤務者情報記憶手段と、
上記勤務情報請求取得装置から出力された勤務情報及び勤務者装置識別情報を収集する収集処理手段と、
取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する勤務先特定手段と、
上記勤務者情報記憶手段を参照して取得した勤務者装置の識別情報に対応する勤務者情報を特定する勤務者特定手段と、
上記勤務情報から抽出した時間データと、上記特定した場所情報及び勤務者情報とを関連付けて記憶する勤務状況記憶手段と、
を有することを特徴とする勤務情報処理システム。
【請求項７】
上記勤務者装置識別情報を出力する出力手段は、上記勤務者装置識別情報を取得する手段からの勤務者装置識別情報取得要求に応じて上記第３の識別情報記憶手段に記憶する勤務者装置識別情報を無線で送信することにより出力応答し、
上記勤務者装置識別情報を取得する手段は、上記勤務者装置識別情報を出力する出力手段より無線で送信された勤務者装置識別情報を受信することにより勤務者装置識別情報を取得する、
請求項６記載の勤務情報処理システム。
【請求項８】
上記勤務情報収集装置と通信を介して接続可能に構成された勤怠情報管理装置をさらに有し、
上記勤務情報収集装置は、上記勤務状況記憶手段に記憶されている時間データ、場所情報及び勤務者情報を上記勤怠情報管理装置に対して通知する手段をさらに有し、
上記勤怠情報管理装置は、通知された時間データを勤務時間として、場所情報を勤務場所情報として勤務者の出勤、退勤などの勤怠情報の処理を行う、
請求項１から７のいずれかの項に記載の勤務情報処理システム。
【請求項９】
上記勤務情報生成手段は、勤務情報をコード化して生成する、
請求項１、２、３、５、６のいずれかの項に記載の勤務情報処理システム。
【請求項１０】
上記勤務情報取得手段は、取得したコード化されている勤務情報をデコードする、
請求項９記載の勤務情報処理システム。
【請求項１１】
上記収集処理手段は、取得したコード化されている勤務情報をデコードする、
請求項９記載の勤務情報処理システム。
【請求項１２】
上記勤務情報出力表示手段は、コード化された勤務情報を所定のディスプレイに出力し、
上記勤務情報取得手段は、ディスプレイに出力されたコード化された勤務情報を撮像する、
請求項９から１１のいずれかの項に記載の勤務情報処理システム。
【請求項１３】
受け付けた勤務情報を表示部に出力表示する勤務情報請求装置と、勤務情報請求装置から取得した勤務情報及び当該勤務情報取得装置の識別情報を勤務情報収集装置へ出力する勤務情報取得装置と、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求装置の識別情報及び時間データを抽出し、上記勤務地情報記憶手段を参照して抽出した勤務情報請求装置の識別情報に対応する場所情報を特定すると共に、上記勤務者情報記憶手段を参照して取得した勤務情報取得装置の識別情報に対応する勤務者情報を特定する勤務情報収集装置と、を有してなる勤務情報処理システムに使用される装置であって、
時間を計時する計時手段と、
上記勤務情報請求装置から勤務情報の生成要求を受け付ける勤務情報生成要求受付手段と、
上記勤務情報生成要求受付手段で受け付けた勤務情報生成要求から、当該勤務情報請求装置の識別情報を抽出する請求装置情報抽出手段と、
上記抽出した当該勤務情報請求装置の識別情報を一時的に記憶する第１の識別情報記憶手段と、
上記勤務情報生成要求受付手段で受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する勤務情報生成手段と、
上記勤務情報生成手段にて生成された勤務情報を、勤務情報生成要求のあった当該勤務情報請求装置へ返信する勤務情報送信手段と、
を有することを特徴とする勤務情報生成装置。
【請求項１４】
上記勤務情報請求装置の識別情報と、生成した勤務情報の送信先情報とを関連付けて記憶する送信先情報記憶手段を更に有することを特徴とする請求項１３記載の勤務情報生成装置。
【請求項１５】
上記勤務情報生成手段は、勤務情報をコード化する、
請求項１３又は１４記載の勤務情報生成装置。
【請求項１６】
上記勤務情報生成手段は、勤務情報を二次元コード化する、
請求項１５記載の勤務情報生成装置。
【請求項１７】
上記勤務情報送信手段は、勤務情報を無線により送信する、
請求項１３から１６のいずれかの項に記載の勤務情報処理システム。
【請求項１８】
標準時間データを含む標準電波発信源から標準時刻電波を受信する手段と、
上記受信した標準時刻電波に従い前記計時手段の計時時刻を修正する手段と、
を更に有する請求項１３から１７のいずれかの項に記載の勤務情報生成装置。
【請求項１９】
受け付けた時間データ、及び勤務情報生成プログラムに基づいて、上記時間データ、及び当該勤務情報生成装置の識別情報を含む勤務情報を生成し、当該勤務情報請求装置の表示部に出力表示する勤務情報請求生成装置と、勤務情報請求生成装置から取得した勤務情報及び当該勤務情報取得装置の識別情報を勤務情報収集装置へ出力する勤務情報取得装置と、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求装置の識別情報及び時間データを抽出し、上記勤務地情報記憶手段を参照して抽出した勤務情報請求装置の識別情報に対応する場所情報を特定すると共に、上記勤務者情報記憶手段を参照して取得した勤務情報取得装置の識別情報に対応する勤務者情報を特定する勤務情報収集装置と、を有してなる勤務情報処理システムに使用される装置であって、
時間を計時する計時手段と、
勤務情報を生成するプログラムを記憶するプログラム記憶手段と、
上記勤務情報生成装置から勤務情報を生成するプログラムの要求を受け付ける勤務情報生成プログラム要求受付手段と、
上記勤務情報生成プログラム要求受付手段で受け付けたプログラムの要求に応じ、上記計時手段で計時した時間データ、及び当該時間データに基づいて時刻に応じて異なる勤務情報を生成する上記プログラム記憶手段に記憶手段に記憶されているプログラムを出力する勤務情報出力手段と、
を有することを特徴とする勤務情報生成補助装置。
【請求項２０】
少なくとも計時手段で計時している時間データ及び勤務情報請求装置の識別情報に基づいて時刻に応じて異なる勤務情報を生成して送信する勤務情報生成装置と、勤務情報の生成を要求し、送信された勤務情報を受け付けて表示部に出力表示する勤務情報請求装置、及び出力表示された勤務情報を取得して当該勤務情報及び勤務情報取得装置の識別情報を通知する勤務情報取得装置を有するシステムに使用される装置であって、
上記勤務情報請求装置の識別情報と当該勤務情報請求装置を操作する管理者が存在する場所情報とを関連付けて記憶する勤務地情報記憶手段と、
上記勤務情報取得装置の識別情報と当該勤務情報取得装置を操作する勤務者情報とを関連付けて記憶する勤務者情報記憶手段と、
上記勤務情報取得装置から出力された勤務情報及び勤務情報取得装置識別情報を収集する収集処理手段と、
取得した勤務情報に含まれている勤務情報請求装置の識別情報、及び時間データを抽出し、上記勤務地情報記憶手段を参照して抽出した勤務情報請求装置の識別情報に対応する場所情報を特定する勤務先特定手段と、
上記勤務者情報記憶手段を参照して取得した勤務情報取得装置の識別情報に対応する勤務者情報を特定する勤務者特定手段と、
を有することを特徴とする勤務情報収集装置。
【請求項２１】
少なくとも計時手段で計時した時間データ、及び当該時間データに基づいて時刻に応じて異なる勤務情報を生成するプログラムを出力する勤務情報生成補助装置と、勤務情報を生成するプログラムを要求し、出力された時間データ、及び勤務情報生成プログラムを受け付けて上記時間データ及び勤務情報請求生成装置の識別情報を含む勤務情報を生成し、表示部に出力表示する勤務情報請求生成装置、及び出力表示された勤務情報を取得して当該勤務情報及び勤務情報取得装置の識別情報を通知する勤務情報取得装置を有するシステムに使用される装置であって、
上記勤務情報請求生成装置の識別情報と当該勤務情報請求生成装置を操作する管理者が存在する場所情報とを関連付けて記憶する勤務地情報記憶手段と、
上記勤務情報取得装置の識別情報と当該勤務情報取得装置を操作する勤務者情報とを関連付けて記憶する勤務者情報記憶手段と、
上記勤務情報取得装置から出力された勤務情報及び勤務情報取得装置識別情報を収集する収集処理手段と、
取得した勤務情報に含まれている勤務情報請求装置の識別情報、及び時間データを抽出し、上記勤務地情報記憶手段を参照して抽出した勤務情報請求装置の識別情報に対応する場所情報を特定する勤務先特定手段と、
上記勤務者情報記憶手段を参照して取得した勤務情報取得装置の識別情報に対応する勤務者情報を特定する勤務者特定手段と、
を有することを特徴とする勤務情報収集装置。
【請求項２２】
上記収集した時間データを勤務時間として、場所情報を勤務場所情報として勤務者の出勤、退勤などの勤怠情報の処理を行う手段、
を更に有する請求項２０または２１記載の勤務情報収集装置
【請求項２３】
受け付けた勤務情報生成要求から抽出した勤務情報請求装置の識別情報を記憶する第１の識別情報記憶手段を有する勤務情報生成装置と、当該勤務情報請求装置の識別情報を記憶する第２の識別情報記憶手段を有する勤務情報請求装置と、当該勤務情報取得装置の識別情報を記憶する第３の識別情報記憶手段を有する勤務情報取得装置と、勤務情報請求装置の識別情報と当該勤務情報請求装置を操作する管理者が存在する場所情報とを関連付けて記憶する勤務地情報記憶手段及び、勤務情報取得装置の識別情報と当該勤務情報取得装置を操作する勤務者情報とを関連付けて記憶する勤務者情報記憶手段を有する勤務情報収集装置とにより実行される方法であって、
上記勤務情報請求装置が、勤務情報の生成要求を、上記第２の識別情報記憶手段に記憶している当該勤務情報請求装置の識別情報を含めて上記勤務情報生成装置へ行なう処理と、
上記勤務情報生成装置が、勤務情報請求装置からの勤務情報の生成要求を受け付ける処理と、
上記勤務情報生成装置が、受け付けた勤務情報生成要求から勤務情報請求装置の識別情報を抽出する処理と、
上記勤務情報生成装置が、計時手段により時間を計時する処理と、
上記勤務情報生成装置が、受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する処理と、
上記勤務情報生成装置が、生成された勤務情報を勤務情報生成要求のあった当該勤務情報請求装置へ返信する処理と、
上記勤務情報請求装置が、送信された勤務情報を受け付ける処理と、
上記勤務情報請求装置が、受け付けた勤務情報を記憶する処理と、
上記勤務情報請求装置が、記憶する勤務情報を当該勤務情報請求装置の表示部に出力表示する処理と、
上記勤務情報取得装置が、出力表示された勤務情報を取得する処理と、
上記勤務情報取得装置が、取得した勤務情報及び上記第３の識別情報記憶手段に記憶されている勤務情報取得装置の識別情報を出力する処理と、
上記勤務情報収集装置が、出力された勤務情報及び勤務情報取得装置識別情報を収集する処理と、
上記勤務情報収集装置が、取得した勤務情報に含まれている勤務情報請求装置の識別情報、及び時間データを抽出し、上記勤務地情報記憶手段を参照して抽出した勤務情報請求装置の識別情報に対応する場所情報を特定する処理と、
上記勤務情報収集装置が、上記勤務者情報記憶手段を参照して取得した勤務情報取得装置の識別情報に対応する勤務者情報を特定する処理と、
上記勤務情報収集装置が、上記勤務情報から抽出した時間データと、上記特定した場所情報及び勤務者情報とを関連付けて勤務状況記憶手段に記憶する処理と、
を行うことを特徴とする勤務情報処理方法。
【請求項２４】
勤務情報を生成するプログラムを記憶するプログラム記憶手段を有する勤務情報生成補助装置と、当該勤務情報請求生成装置の識別情報を記憶する第１の識別情報記憶手段及び、受け付けた時間データ、及び勤務情報生成プログラムを一時的に記憶するプログラム記憶手段を有する勤務情報請求生成装置と、当該勤務情報取得装置の識別情報を記憶する第２の識別情報記憶手段を有する勤務情報取得装置と、勤務情報請求生成装置の識別情報と当該勤務情報請求生成装置を操作する管理者が存在する場所情報とを関連付けて記憶する勤務地情報記憶手段及び、勤務情報取得装置の識別情報と当該勤務情報取得装置を操作する勤務者情報とを関連付けて記憶する勤務者情報記憶手段を有する勤務情報収集装置とにより実行される方法であって、
上記勤務情報請求生成装置が、上記勤務情報生成補助装置へ勤務情報を生成するプログラムを要求する処理と、
上記勤務情報生成補助装置が、勤務情報請求生成装置から勤務情報を生成するプログラムの要求を受け付ける処理と、
上記勤務情報生成補助装置が、計時手段により時間を計時する処理と、
上記勤務情報生成補助装置が、受け付けたプログラムの要求に応じ、上記計時手段で計時した時間データ、及び当該時間データに基づいて時刻に応じて異なる勤務情報を生成する上記プログラム記憶手段に記憶されているプログラムを出力する処理と、
上記勤務情報請求生成装置が、出力された時間データ、及び勤務情報生成プログラムを受け付ける処理と、
上記勤務情報請求生成装置が、受け付けた上記プログラムに基づいて、上記時間データ、及び上記第１の識別情報記憶手段に記憶されている識別情報を含む勤務情報を生成する処理と、
上記勤務情報請求生成装置が、生成した勤務情報を、当該勤務情報請求生成装置の表示部に出力表示する処理と、
上記勤務情報取得装置が、出力表示された勤務情報を取得する処理と、
上記勤務情報取得装置が、取得した勤務情報及び上記第２の識別情報記憶手段に記憶されている勤務情報取得装置の識別情報を出力する処理と、
上記勤務情報収集装置が、出力された勤務情報及び勤務情報取得装置識別情報を収集する処理と、
上記勤務情報収集装置が、取得した勤務情報に含まれている勤務情報請求生成装置の識別情報、及び時間データを抽出し、上記勤務地情報記憶手段を参照して抽出した勤務情報請求生成装置の識別情報に対応する場所情報を特定する処理と、
上記勤務情報収集装置が、上記勤務者情報記憶手段を参照して取得した勤務情報取得装置の識別情報に対応する勤務者情報を特定する処理と、
上記勤務情報収集装置が、上記勤務情報から抽出した時間データと、上記特定した場所情報及び勤務者情報とを関連付けて勤務状況記憶手段に記憶する処理と、
を行うことを特徴とする勤務情報処理方法。
【請求項２５】
受け付けた勤務情報生成要求から抽出した勤務情報請求取得装置の識別情報を記憶する第１の識別情報記憶手段を有する勤務情報生成装置と、当該勤務情報請求取得装置の識別情報を記憶する第２の識別情報記憶手段を有する勤務情報請求取得装置と、勤務者装置の識別情報を記憶する第３の識別情報記憶手段を有する勤務者装置と、勤務情報請求取得装置の識別情報と当該勤務情報請求取得装置を操作する管理者が存在する場所情報とを関連付けて記憶する勤務地情報記憶手段及び、勤務者装置の識別情報と当該勤務者装置を操作する勤務者情報とを関連付けて記憶する勤務者情報記憶手段を有する勤務情報収集装置とにより実行される方法であって、
上記勤務情報請求装置が、勤務情報の生成要求を、上記第２の識別情報記憶手段に記憶している当該勤務情報請求装置の識別情報を含めて上記勤務情報生成装置へ行なう処理と、
上記勤務情報生成装置が、勤務情報請求装置からの勤務情報の生成要求を受け付ける処理と、
上記勤務情報生成装置が、受け付けた勤務情報生成要求から勤務情報請求装置の識別情報を抽出する処理と、
上記勤務情報生成装置が、計時手段により時間を計時する処理と、
上記勤務情報生成装置が、受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する処理と、
上記勤務情報生成装置が、生成された勤務情報を勤務情報生成要求のあった当該勤務情報請求装置へ返信する処理と、
上記勤務情報請求取得装置が、送信された勤務情報を受け付ける処理と、
上記勤務情報請求取得装置が、受け付けた勤務情報を記憶する処理と、
上記勤務者装置が当該勤務者装置の識別情報を出力する処理と、
上記勤務情報請求取得装置が、出力された勤務者装置の識別情報を取得する処理と、
上記勤務情報請求取得装置が、記憶する勤務情報及び取得した勤務者装置の識別情報を上記勤務情報収集装置へ送信する処理と、
上記勤務情報収集装置が、送信された勤務情報及び勤務者装置識別情報を収集する処理と、
上記勤務情報収集装置が、取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する処理と、
上記勤務情報収集装置が、上記勤務者情報記憶手段を参照して取得した勤務者装置の識別情報に対応する勤務者情報を特定する処理と、
上記勤務情報収集装置が、上記勤務情報から抽出した時間データと、上記特定した場所情報及び勤務者情報とを関連付けて勤務状況記憶手段に記憶する処理と、
を行うことを特徴とする勤務情報処理方法。
【請求項２６】
勤務情報を生成するプログラムを記憶するプログラム記憶手段を有する勤務情報生成補助装置と、当該勤務情報請求取得装置の識別情報を記憶する第１の識別情報記憶手段及び、受け付けた時間データ、及び勤務情報生成プログラムを一時的に記憶するプログラム記憶手段を有する勤務情報請求取得装置と、勤務者装置の識別情報を記憶する第３の識別情報記憶手段を有する勤務者装置と、勤務情報請求取得装置の識別情報と当該勤務情報請求取得装置を操作する管理者が存在する場所情報とを関連付けて記憶する勤務地情報記憶手段及び、勤務者装置の識別情報と当該勤務者装置を操作する勤務者情報とを関連付けて記憶する勤務者情報記憶手段を有する勤務情報収集装置とにより実行される方法であって、
上記勤務情報請求取得装置が、上記勤務情報生成補助装置へ勤務情報を生成するプログラムを要求する処理と、
上記勤務情報生成補助装置が、勤務情報請求取得装置から勤務情報を生成するプログラムの要求を受け付ける処理と、
上記勤務情報生成補助装置が、計時手段により時間を計時する処理と、
上記勤務情報生成補助装置が、受け付けたプログラムの要求に応じ、上記計時手段で計時した時間データ、及び当該時間データに基づいて時刻に応じて異なる勤務情報を生成する上記プログラム記憶手段に記憶されているプログラムを出力する処理と、
上記勤務情報請求取得装置が、出力された時間データ、及び勤務情報生成プログラムを受け付ける処理と、
上記勤務情報請求取得装置が、受け付けた時間データ、及び勤務情報生成プログラムを記憶する処理と、
上記勤務者装置が当該勤務者装置の識別情報を出力する処理と、
上記勤務情報請求取得装置が、出力された勤務者装置の識別情報を取得する処理と、
上記勤務情報請求取得装置が、受け付けた上記プログラムに基づいて、上記時間データ、上記第１の識別情報記憶手段に記憶されている識別情報、及び取得した勤務者装置の識別情報を含む勤務情報を生成する処理と、
上記勤務情報請求取得装置が、生成した勤務情報を上記勤務情報収集装置へ送信する処理と、
上記勤務情報収集装置が、送信された勤務情報を収集する処理と、
上記勤務情報収集装置が、取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する処理と、
上記勤務情報収集装置が、上記勤務者情報記憶手段を参照して取得した勤務者装置の識別情報に対応する勤務者情報を特定する処理と、
上記勤務情報収集装置が、上記勤務情報から抽出した時間データと、上記特定した場所情報及び勤務者情報とを関連付けて勤務状況記憶手段に記憶する処理と、
を行うことを特徴とする勤務情報処理方法。
【請求項２７】
受け付けた勤務情報を表示部に出力表示する勤務情報請求装置と、取得した勤務情報及び当該勤務情報取得装置の識別情報を出力する勤務情報取得装置と、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求装置の識別情報及び時間データを抽出し、上記勤務地情報記憶手段を参照して抽出した勤務情報請求装置の識別情報に対応する場所情報を特定すると共に、上記勤務者情報記憶手段を参照して取得した勤務情報取得装置の識別情報に対応する勤務者情報を特定する勤務情報収集装置と、を有してなる勤務情報処理システムに使用される装置としてコンピュータを機能させるためのコンピュータプログラムであって、
コンピュータに対して、
時間を計時する処理と、
上記勤務情報請求装置から勤務情報の生成要求を受け付ける処理と、
上記勤務情報生成要求受付手段で受け付けた勤務情報生成要求から、当該勤務情報請求装置の識別情報を抽出する処理と、
上記抽出した当該勤務情報請求装置の識別情報を一時的に記憶する処理と、
上記勤務情報生成要求受付手段で受け付けた勤務情報生成要求に応じ、上記計時した時間データ及び記憶されている勤務情報請求装置の識別情報に基づいて、時刻に応じて異なる勤務情報を生成する処理と、
上記生成した勤務情報を、勤務情報生成要求のあった当該勤務情報請求装置へ返信する処理と、
を実行させるコンピュータプログラム。
【請求項２８】
上記生成した勤務情報を返信する処理は、無線で送信することにより実行させる、
請求項２７記載のコンピュータプログラム。
【請求項２９】
受け付けた時間データ、及び勤務情報生成プログラムに基づいて、上記時間データ、及び当該勤務情報生成装置の識別情報を含む勤務情報を生成し、当該勤務情報請求装置の表示部に出力表示する勤務情報請求生成装置と、取得した勤務情報及び当該勤務情報取得装置の識別情報を出力する勤務情報取得装置と、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求生成装置の識別情報及び時間データを抽出し、上記勤務地情報記憶手段を参照して抽出した勤務情報請求生成装置の識別情報に対応する場所情報を特定すると共に、上記勤務者情報記憶手段を参照して取得した勤務情報取得装置の識別情報に対応する勤務者情報を特定する勤務情報収集装置と通信可能に構成され、勤務情報を生成するプログラムを記憶するプログラム記憶手段を有する装置としてコンピュータを機能させるためのコンピュータプログラムであって、
コンピュータに対して、
時間を計時する処理と、
上記勤務情報請求生成装置から勤務情報を生成するプログラムの要求を受け付ける処理と、
上記受け付けたプログラムの要求に応じ、予め上記プログラム記憶手段に記憶された上記計時した時間データ、及び当該時間データに基づいて時刻に応じて異なる勤務情報を生成するプログラムを出力する処理と、
を実行させるコンピュータプログラム。
【請求項３０】
少なくとも計時手段で計時している時間データ及び勤務情報請求装置の識別情報に基づいて時刻に応じて異なる勤務情報を生成して送信する勤務情報生成装置と、勤務情報の生成を要求し、送信された勤務情報を受け付けて表示部に出力表示する勤務情報請求装置、及び出力表示された勤務情報を取得して当該勤務情報及び勤務情報取得装置の識別情報を通知する勤務情報取得装置と通信可能に構成され、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段とを有する装置としてコンピュータを機能させるためのコンピュータプログラムであって、
コンピュータに対して、
上記勤務情報取得装置から出力された勤務情報及び勤務情報取得装置識別情報を収集する処理と、
取得した勤務情報に含まれている勤務情報請求装置の識別情報、及び時間データを抽出し、予め記憶する上記勤務地情報記憶手段を参照して抽出した勤務情報請求装置の識別情報に対応する場所情報を特定する処理と、
上記勤務者情報記憶手段を参照して取得した勤務情報取得装置の識別情報に対応する勤務者情報を特定する処理と、
上記勤務情報から抽出した時間データと、上記特定した場所情報及び勤務者情報とを関連付けて記憶する処理と、
を実行させるコンピュータプログラム。
【請求項３１】
少なくとも計時手段で計時した時間データ、及び当該時間データに基づいて時刻に応じて異なる勤務情報を生成するプログラムを出力する勤務情報生成補助装置と、勤務情報を生成するプログラムを要求し、出力された時間データ、及び勤務情報生成プログラムを受け付けて上記時間データ及び勤務情報生成装置の識別情報を含む勤務情報を生成し、表示部に出力表示する勤務情報請求生成装置、及び出力表示された勤務情報を取得して当該勤務情報及び勤務情報取得装置の識別情報を通知する勤務情報取得装置と通信可能に構成され、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段とを有する装置としてコンピュータを機能させるためのコンピュータプログラムであって、
コンピュータに対して、
上記勤務情報取得装置から出力された勤務情報及び勤務情報取得装置識別情報を収集する処理と、
取得した勤務情報に含まれている勤務情報請求生成装置の識別情報、及び時間データを抽出し、上記勤務地情報記憶手段を参照して抽出した勤務情報請求生成装置の識別情報に対応する場所情報を特定する処理と、
上記勤務者情報記憶手段を参照して取得した勤務情報取得装置の識別情報に対応する勤務者情報を特定する処理と、
上記勤務情報から抽出した時間データと、上記特定した場所情報及び勤務者情報とを関連付けて記憶する処理と、
を実行させるコンピュータプログラム。
【発明の詳細な説明】
【技術分野】
【０００１】
本発明は、勤務者の勤務状況のデータを収集するための技術であって、詳しくは、勤務先に特別な装置を設置しなくても、誰が、いつ、どこで勤務したのかを特定する際に好適な技術に関する。
【背景技術】
【０００２】
従来、通信ネットワークを介して従業者の出退時刻等の勤怠管理を行うようにした所謂ネットワークタイムレコ−ダが利用されている。このようなネットワークタイムレコ−ダによる従業者の出退時刻等の勤怠管理の手段として、例えば、社員証カードとカードリーダを備える専用端末機と管理パソコンとで構成されるシステムであって、社員が出退社時等に、出入口に設置されたカードリーダを備える専用端末機から社員証カードに記録されている社員コードを読み取らせ、社員コードに対応した出退社データ、休暇データ等を入力して専用端末機のメモリに記録し、専用端末機に記録されたデータを管理装置に送信して、管理装置にてそれらのデータを集計することにより社員の勤怠管理を行うようにしたものが提案されている（特許文献１参照）。
【０００３】
【特許文献１】特開平９−１１５０２１号公報
【発明の開示】
【発明が解決しようとする課題】
【０００４】
しかしながら、上述したネットワークタイムレコ−ダによる従業者の勤怠管理手段においては、従業者の出勤や退勤といった勤務情報を取得する際に、従業者勤務用の社員証カードを読み込ませる必要があった。そのため、勤怠管理用のカードリーダや、ＩＤやパスワード等の入力動作を行うためのタッチ式パネル等を具備した専用端末機が必要となってしまうという問題があった。
特に、バックヤードが狭く、物を置くスペースが少ない小規模店舗等では、このような専用端末機設置のためのスペースが確保し辛く、ネットワークタイムレコ−ダを利用した従業者の勤怠管理を行なうことが困難なものであった。
【０００５】
また、近年、在宅介護者やコンパニオン、技術者など、派遣社員や移動社員による社外での仕事（勤務行為）が増加しているが、端末の費用及び配置するスペースなどの点からその勤務先にタイムレコ−ダを用意することが出来ず、これらの勤務状況を正確に掴むことができなかった。
【０００６】
そのため、現在では、移動勤務者や移動先の自己申告によって、労働時間とそれに対する報酬を計算しているが、労働時間は自己申告による場合が多いため、不正の温床となるなどの問題があった。そのため、介護保険の適用など、労働時間の管理に正確を期することが望まれていた。
【０００７】
本発明は、上述のような課題を解決するためになされたものであって、その目的とするところは、特別な装置を設置しなくても、低コストで勤務者の勤務状況を確認できる仕組みを提供することにある。
また、本発明は、どの勤務者が、いつ、どの場所（勤務先）で勤務したのか勤務状況を確実に把握することが出来る仕組みを提供することを目的とする。
【課題を解決するための手段】
【０００８】
上記の目的を達成するため、本発明の一の観点にかかる勤務情報処理システムは、所定の場所に設置された勤務情報生成装置と、勤務先にて勤務者の出退勤といった所定の行動を確認する管理者が操作する勤務情報請求装置と、勤務先に勤務する勤務者が操作する勤務情報取得装置と、勤務者の勤務情報を収集する勤務情報収集装置とを有するシステムであって、上記勤務情報生成装置は、時間を計時する計時手段と、上記勤務情報請求装置から勤務情報の生成要求を受け付ける勤務情報生成要求受付手段と、上記勤務情報生成要求受付手段で受け付けた勤務情報生成要求から、当該勤務情報請求装置の識別情報を抽出する請求装置情報抽出手段と、上記抽出した当該勤務情報請求装置の識別情報を一時的に記憶する第１の識別情報記憶手段と、上記勤務情報生成要求受付手段で受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する勤務情報生成手段と、上記勤務情報生成手段にて生成された勤務情報を、勤務情報生成要求のあった当該勤務情報請求装置へ返信する勤務情報送信手段と、を有し、上記勤務情報請求装置は、当該勤務情報請求装置の識別情報を記憶する第２の識別情報記憶手段と、上記第２の識別情報記憶手段に記憶している当該勤務情報請求装置の識別情報を含めて、上記勤務情報生成装置への勤務情報の生成要求を行なう勤務情報請求手段と、上記勤務情報生成装置から送信された勤務情報を受け付ける勤務情報受付手段と、上記受け付けた勤務情報を一時的に記憶する勤務情報記憶手段と、上記記憶する勤務情報を当該勤務情報請求装置の表示部に出力表示する勤務情報出力表示手段と、を有し、上記勤務情報取得装置は、上記出力表示された勤務情報を取得する取得手段と、当該勤務情報取得装置の識別情報を記憶する第３の識別情報記憶手段と、取得した勤務情報及び上記第３の識別情報記憶手段に記憶されている勤務情報取得装置の識別情報を出力する出力手段と、上記勤務情報収集装置は、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段と、上記勤務情報取得装置から出力された勤務情報及び勤務情報取得装置識別情報を収集する収集処理手段と、取得した勤務情報に含まれている勤務情報請求装置の識別情報、及び時間データを抽出し、上記勤務地情報記憶手段を参照して抽出した勤務情報請求装置の識別情報に対応する場所情報を特定する勤務先特定手段と、上記勤務者情報記憶手段を参照して取得した勤務情報取得装置の識別情報に対応する勤務者情報を特定する勤務者特定手段と、上記勤務情報から抽出した時間データと、上記特定した場所情報及び勤務者情報とを関連付けて記憶する勤務状況記憶手段と、を有することを特徴とする。
【０００９】
ここで、勤務情報請求装置の識別情報とは、勤務情報請求装置に固有に付与されたシリアル番号（ＩＤ）や、勤務情報請求装置が携帯電話機等の通信端末である場合は、メールアドレスや電話番号を言う。
また、上記勤務情報請求装置の識別情報と生成した勤務情報の送信先情報とを関連付けて記憶する送信先情報記憶手段を更に有するものとしても良い。
【００１０】
これにより、勤務情報請求装置の識別情報がシリアル番号や電話番号であった場合でも、勤務情報を送信することが出来る。
【００１１】
本発明の別の観点にかかる勤務情報処理システムは、所定の場所に設置された勤務情報生成補助装置と、勤務先にて勤務者の出退勤といった所定の行動を確認する管理者が操作する勤務情報請求生成装置と、勤務先に勤務する勤務者が操作する勤務情報取得装置と、勤務者の勤務情報を収集する勤務情報収集装置とを有するシステムであって、上記勤務情報生成補助装置は、時間を計時する計時手段と、勤務情報を生成するプログラムを記憶するプログラム記憶手段と、上記勤務情報請求生成装置から勤務情報を生成するプログラムの要求を受け付ける勤務情報生成プログラム要求受付手段と、上記勤務情報生成プログラム要求受付手段で受け付けたプログラムの要求に応じ、上記計時手段で計時した時間データ、及び当該時間データに基づいて時刻に応じて異なる勤務情報を生成する、上記プログラム記憶手段に記憶手段に記憶されているプログラムを出力する勤務情報出力手段と、を有し、上記勤務情報請求生成装置は、上記勤務情報生成補助装置へ勤務情報を生成するプログラムを要求する勤務情報生成プログラム請求手段と、当該勤務情報請求生成装置の識別情報を記憶する第１の識別情報記憶手段と、上記勤務情報生成補助装置から出力された時間データ、及び勤務情報生成プログラムを受け付けるプログラム受付手段と、上記受け付けた時間データ、及び勤務情報生成プログラムを一時的に記憶するプログラム記憶手段と、上記記憶するプログラムに基づいて、上記時間データ、及び上記第１の識別情報記憶手段に記憶されている識別情報を含む勤務情報を生成する勤務情報生成手段と、上記勤務情報生成手段にて生成された勤務情報を、当該勤務情報請求装置の表示部に出力表示する勤務情報出力表示手段と、を有し、上記勤務情報取得装置は、上記出力表示された勤務情報を取得する取得手段と、当該勤務情報取得装置の識別情報を記憶する第２の識別情報記憶手段と、取得した勤務情報及び上記第２の識別情報記憶手段に記憶されている勤務情報取得装置の識別情報を出力する出力手段と、上記勤務情報収集装置は、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段と、上記勤務情報取得装置から出力された勤務情報及び勤務情報取得装置識別情報を収集する収集処理手段と、取得した勤務情報に含まれている勤務情報請求生成装置の識別情報、及び時間データを抽出し、上記勤務地情報記憶手段を参照して抽出した勤務情報請求生成装置の識別情報に対応する場所情報を特定する勤務先特定手段と、上記勤務者情報記憶手段を参照して取得した勤務情報取得装置の識別情報に対応する勤務者情報を特定する勤務者特定手段と、上記勤務情報から抽出した時間データと、上記特定した場所情報及び勤務者情報とを関連付けて記憶する勤務状況記憶手段と、を有することを特徴とする。
【００１２】
また、上記勤務情報出力表示手段は、上記勤務情報を取得する取得手段からの勤務情報取得要求に応じて、上記勤務情報記憶手段にて記憶し、表示部に表示する勤務情報を無線で送信することにより出力応答し、上記勤務情報を取得する取得手段は、上記勤務情報出力表示手段より無線で送信された勤務情報を受信することにより勤務情報を取得するようにしてもよい。
【００１３】
また、本発明の別の観点にかかる勤務情報処理システムは、所定の場所に設置された勤務情報生成装置と、勤務先にて勤務者の出退勤といった所定の行動を確認する管理者が操作する勤務情報請求取得装置と、勤務先に勤務する勤務者が操作する勤務者装置と、勤務者の勤務情報を収集する勤務情報収集装置とを有するシステムであって、上記勤務情報生成装置は、時間を計時する計時手段と、上記勤務情報請求取得装置から勤務情報の生成要求を受け付ける勤務情報生成要求受付手段と、上記勤務情報生成要求受付手段で受け付けた勤務情報生成要求から、当該勤務情報請求装置の識別情報を抽出する請求装置情報抽出手段と、上記抽出した当該勤務情報請求装置の識別情報を一時的に記憶する第１の識別情報記憶手段と、上記勤務情報生成要求受付手段で受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する勤務情報生成手段と、上記勤務情報生成手段にて生成された勤務情報を、勤務情報生成要求のあった当該勤務情報請求装置へ返信する勤務情報送信手段とを有し、上記勤務情報請求取得装置は、当該勤務情報請求取得装置の識別情報を記憶する第２の識別情報記憶手段と、勤務情報の送信先情報を記憶する送信先情報記憶手段と勤務者装置から勤務者装置識別情報を取得する手段と、上記取得した勤務者装置識別情報を一時的に記憶する勤務者装置識別情報記憶手段と、上記第２の識別情報記憶手段に記憶している当該勤務情報請求装置の識別情報、及び上記勤務者装置識別情報記憶手段に記憶している勤務者装置識別情報を含めて、上記勤務情報生成装置への勤務情報の生成要求を行なう勤務情報請求手段と、上記勤務情報生成装置から送信された勤務情報を受け付ける勤務情報受付手段と、上記受け付けた勤務情報を一時的に記憶する勤務情報記憶手段と、上記記憶する勤務情報を上記送信先情報記憶手段に記憶されている送信先に対して出力する手段とを有し、上記勤務者装置は、当該勤務者装置の識別情報を記憶する第３の識別情報記憶手段と、上記第３の識別情報記憶手段に記憶されている勤務者装置識別情報を出力する出力手段とを有し、上記勤務情報収集装置は、上記勤務情報請求取得装置の識別情報と当該勤務情報請求取得装置を操作する管理者が存在する場所情報とを関連付けて記憶する勤務地情報記憶手段と、上記勤務者装置の識別情報と当該勤務者装置を操作する勤務者情報とを関連付けて記憶する勤務者情報記憶手段と、上記勤務情報請求取得装置から出力された勤務情報及び勤務者装置識別情報を収集する収集処理手段と、取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する勤務先特定手段と、上記勤務者情報記憶手段を参照して取得した勤務者装置の識別情報に対応する勤務者情報を特定する勤務者特定手段と、上記勤務情報から抽出した時間データと、上記特定した場所情報及び勤務者情報とを関連付けて記憶する勤務状況記憶手段とを有することを特徴とする。
【００１４】
また、本発明のさらに別の観点にかかる勤務情報処理システムは、所定の場所に設置された勤務情報生成補助装置と、勤務先にて勤務者の出退勤といった所定の行動を確認する管理者が操作する勤務情報請求取得装置と、勤務先に勤務する勤務者が操作する勤務者装置と、勤務者の勤務情報を収集する勤務情報収集装置とを有するシステムであって、上記勤務情報生成補助装置は、時間を計時する計時手段と、勤務情報を生成するプログラムを記憶するプログラム記憶手段と、上記勤務情報請求取得装置から勤務情報を生成するプログラムの要求を受け付ける勤務情報生成プログラム要求受付手段と、上記勤務情報生成プログラム要求受付手段で受け付けたプログラムの要求に応じ、上記計時手段で計時した時間データ、及び当該時間データに基づいて時刻に応じて異なる勤務情報を生成する、上記プログラム記憶手段に記憶手段に記憶されているプログラムを出力する勤務情報出力手段とを有し、上記勤務情報請求取得装置は、上記勤務情報生成補助装置へ勤務情報を生成するプログラムを要求する勤務情報生成プログラム請求手段と、当該勤務情報請求取得装置の識別情報を記憶する第１の識別情報記憶手段と、勤務情報の送信先情報を記憶する送信先情報記憶手段と、勤務者装置から勤務者装置識別情報を取得する手段と、上記取得した勤務者装置識別情報を一時的に記憶する勤務者装置識別情報記憶手段と、上記勤務情報生成補助装置から出力された時間データ、及び勤務情報生成プログラムを受け付けるプログラム受付手段と、上記受け付けた時間データ、及び勤務情報生成プログラムを一時的に記憶するプログラム記憶手段と、上記記憶するプログラムに基づいて、上記時間データ、上記第１の識別情報記憶手段に記憶されている識別情報、及び上記勤務者装置識別情報記憶手段に記憶している勤務者装置識別情報を含む勤務情報を生成する勤務情報生成手段と、上記勤務情報生成手段にて生成された勤務情報を、上記送信先情報記憶手段に記憶されている送信先に対して出力する手段とを有し、上記勤務情報収集装置は、上記勤務情報請求取得装置の識別情報と当該勤務情報請求取得装置を操作する管理者が存在する場所情報とを関連付けて記憶する勤務地情報記憶手段と、上記勤務者装置の識別情報と当該勤務者装置を操作する勤務者情報とを関連付けて記憶する勤務者情報記憶手段と、上記勤務情報請求取得装置から出力された勤務情報及び勤務者装置識別情報を収集する収集処理手段と、取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する勤務先特定手段と、上記勤務者情報記憶手段を参照して取得した勤務者装置の識別情報に対応する勤務者情報を特定する勤務者特定手段と、上記勤務情報から抽出した時間データと、上記特定した場所情報及び勤務者情報とを関連付けて記憶する勤務状況記憶手段とを有することを特徴とする。
【００１５】
この上記勤務者装置識別情報を出力する出力手段は、上記勤務者装置識別情報を取得する手段からの勤務者装置識別情報取得要求に応じて上記第３の識別情報記憶手段に記憶する勤務者装置識別情報を無線で送信することにより出力応答し、
上記勤務者装置識別情報を取得する手段は、上記勤務者装置識別情報を出力する出力手段より無線で送信された勤務者装置識別情報を受信することにより勤務者装置識別情報を取得するようにしてもよい。
【００１６】
また、記勤務情報収集装置と通信を介して接続可能に構成された勤怠情報管理装置をさらに有し、上記勤務情報収集装置は、上記勤務状況記憶手段に記憶されている時間データ、場所情報及び勤務者情報を上記勤怠情報管理装置に対して通知する手段をさらに有し、上記勤怠情報管理装置は、通知された時間データを勤務時間として、場所情報を勤務場所情報として勤務者の出勤、退勤などの勤怠情報の処理を行うようにしても良い。
【００１７】
また、上記勤務情報生成手段は、勤務情報をコード化して生成するようにしても良い。
【００１８】
また、上記勤務情報取得手段は、取得したコード化されている勤務情報をデコードするようにしても良い。
【００１９】
また、上記収集処理手段は、取得したコード化されている勤務情報をデコードするようにしても良い。
【００２０】
また、上記勤務情報出力手段は、コード化された勤務情報を所定のディスプレイに出力し、上記勤務情報取得手段は、ディスプレイに出力されたコード化された勤務情報を撮像しても良い。
【００２１】
本発明の一の観点にかかる勤務情報生成装置は、受け付けた勤務情報を表示部に出力表示する勤務情報請求装置と、勤務情報請求装置から取得した勤務情報及び当該勤務情報取得装置の識別情報を勤務情報収集装置へ出力する勤務情報取得装置と、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求装置の識別情報及び時間データを抽出し、上記勤務地情報記憶手段を参照して抽出した勤務情報請求装置の識別情報に対応する場所情報を特定すると共に、上記勤務者情報記憶手段を参照して取得した勤務情報取得装置の識別情報に対応する勤務者情報を特定する勤務情報収集装置と、を有してなる勤務情報処理システムに使用される装置であって、時間を計時する計時手段と、上記勤務情報請求装置から勤務情報の生成要求を受け付ける勤務情報生成要求受付手段と、上記勤務情報生成要求受付手段で受け付けた勤務情報生成要求から、当該勤務情報請求装置の識別情報を抽出する請求装置情報抽出手段と、上記抽出した当該勤務情報請求装置の識別情報を一時的に記憶する第１の識別情報記憶手段と、上記勤務情報生成要求受付手段で受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する勤務情報生成手段と、上記勤務情報生成手段にて生成された勤務情報を、勤務情報生成要求のあった当該勤務情報請求装置へ返信する勤務情報送信手段と、を有することを特徴とする。
【００２２】
本発明の勤務情報生成装置は、上記勤務情報請求装置の識別情報と、生成した勤務情報の送信先情報とを関連付けて記憶する送信先情報記憶手段を更に有するようにしても良い。
【００２３】
上記勤務情報生成手段は、勤務情報をコード化しても良い。
【００２４】
また、上記勤務情報生成手段は、勤務情報を二次元コード化するようにしても良い。
【００２５】
また、上記勤務情報送信手段は、勤務情報を無線により送信するようにしても良い。
【００２６】
また、本発明の勤務情報生成装置は、標準時間データを含む標準電波発信源から標準時刻電波を受信する手段と、上記受信した標準時刻電波に従い前記計時手段の計時時刻を修正する手段とを更に有するようにしても良い。
【００２７】
本発明の一の観点にかかる勤務情報生成補助装置は、受け付けた時間データ、及び勤務情報生成プログラムに基づいて、上記時間データ、及び当該勤務情報生成装置の識別情報を含む勤務情報を生成し、当該勤務情報請求装置の表示部に出力表示する勤務情報請求生成装置と、勤務情報請求生成装置から取得した勤務情報及び当該勤務情報取得装置の識別情報を勤務情報収集装置へ出力する勤務情報取得装置と、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求装置の識別情報及び時間データを抽出し、上記勤務地情報記憶手段を参照して抽出した勤務情報請求装置の識別情報に対応する場所情報を特定すると共に、上記勤務者情報記憶手段を参照して取得した勤務情報取得装置の識別情報に対応する勤務者情報を特定する勤務情報収集装置と、を有してなる勤務情報処理システムに使用される装置であって、時間を計時する計時手段と、勤務情報を生成するプログラムを記憶するプログラム記憶手段と、上記勤務情報生成装置から勤務情報を生成するプログラムの要求を受け付ける勤務情報生成プログラム要求受付手段と、上記勤務情報生成プログラム要求受付手段で受け付けたプログラムの要求に応じ、上記計時手段で計時した時間データ、及び当該時間データに基づいて時刻に応じて異なる勤務情報を生成する上記プログラム記憶手段に記憶手段に記憶されているプログラムを出力する勤務情報出力手段とを有することを特徴とする。
【００２８】
本発明の一の観点にかかる勤務情報収集装置は、少なくとも計時手段で計時している時間データ及び勤務情報請求装置の識別情報に基づいて時刻に応じて異なる勤務情報を生成して送信する勤務情報生成装置と、勤務情報の生成を要求し、送信された勤務情報を受け付けて表示部に出力表示する勤務情報請求装置、及び出力表示された勤務情報を取得して当該勤務情報及び勤務情報取得装置の識別情報を通知する勤務情報取得装置を有するシステムに使用される装置であって、上記勤務情報請求装置の識別情報と当該勤務情報請求装置を操作する管理者が存在する場所情報とを関連付けて記憶する勤務地情報記憶手段と、
上記勤務情報取得装置の識別情報と当該勤務情報取得装置を操作する勤務者情報とを関連付けて記憶する勤務者情報記憶手段と、上記勤務情報取得装置から出力された勤務情報及び勤務情報取得装置識別情報を収集する収集処理手段と、取得した勤務情報に含まれている勤務情報請求装置の識別情報、及び時間データを抽出し、上記勤務地情報記憶手段を参照して抽出した勤務情報請求装置の識別情報に対応する場所情報を特定する勤務先特定手段と、上記勤務者情報記憶手段を参照して取得した勤務情報取得装置の識別情報に対応する勤務者情報を特定する勤務者特定手段と、上記勤務情報から抽出した時間データと、上記特定した場所情報及び勤務者情報とを関連付けて記憶する勤務状況記憶手段とを有することを特徴とする。
【００２９】
本発明の別の観点にかかる勤務情報収集装置は、少なくとも計時手段で計時した時間データ、及び当該時間データに基づいて時刻に応じて異なる勤務情報を生成するプログラムを出力する勤務情報生成補助装置と、勤務情報を生成するプログラムを要求し、出力された時間データ、及び勤務情報生成プログラムを受け付けて上記時間データ及び勤務情報請求生成装置の識別情報を含む勤務情報を生成し、表示部に出力表示する勤務情報請求生成装置、及び出力表示された勤務情報を取得して当該勤務情報及び勤務情報取得装置の識別情報を通知する勤務情報取得装置を有するシステムに使用される装置であって、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段と、上記勤務情報取得装置から出力された勤務情報及び勤務情報取得装置識別情報を収集する収集処理手段と、取得した勤務情報に含まれている勤務情報請求装置の識別情報、及び時間データを抽出し、上記勤務地情報記憶手段を参照して抽出した勤務情報請求装置の識別情報に対応する場所情報を特定する勤務先特定手段と、上記勤務者情報記憶手段を参照して取得した勤務情報取得装置の識別情報に対応する勤務者情報を特定する勤務者特定手段と、上記勤務情報から抽出した時間データと、上記特定した場所情報及び勤務者情報とを関連付けて記憶する勤務状況記憶手段とを有することを特徴とする。
【００３０】
また、本発明の勤務情報収集装置は、上記収集した時間データを勤務時間として、場所情報を勤務場所情報として勤務者の出勤、退勤などの勤怠情報の処理を行う手段を更に有するようにしても良い。
【００３１】
本発明の一の観点にかかる勤務情報処理方法は、受け付けた勤務情報生成要求から抽出した勤務情報請求装置の識別情報を記憶する第１の識別情報記憶手段を有する勤務情報生成装置と、当該勤務情報請求装置の識別情報を記憶する第２の識別情報記憶手段を有する勤務情報請求装置と、当該勤務情報取得装置の識別情報を記憶する第３の識別情報記憶手段を有する勤務情報取得装置と、勤務情報請求装置の識別情報と当該勤務情報請求装置を操作する管理者が存在する場所情報とを関連付けて記憶する勤務地情報記憶手段及び、勤務情報取得装置の識別情報と当該勤務情報取得装置を操作する勤務者情報とを関連付けて記憶する勤務者情報記憶手段を有する勤務情報収集装置とにより実行される方法であって、上記勤務情報請求装置が、勤務情報の生成要求を、上記第２の識別情報記憶手段に記憶している当該勤務情報請求装置の識別情報を含めて上記勤務情報生成装置へ行なう処理と、上記勤務情報生成装置が、勤務情報請求装置からの勤務情報の生成要求を受け付ける処理と、上記勤務情報生成装置が、受け付けた勤務情報生成要求から勤務情報請求装置の識別情報を抽出する処理と、上記勤務情報生成装置が、計時手段により時間を計時する処理と、  上記勤務情報生成装置が、受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する処理と、上記勤務情報生成装置が、生成された勤務情報を勤務情報生成要求のあった当該勤務情報請求装置へ返信する処理と、上記勤務情報請求装置が、送信された勤務情報を受け付ける処理と、上記勤務情報請求装置が、受け付けた勤務情報を記憶する処理と、上記勤務情報請求装置が、記憶する勤務情報を当該勤務情報請求装置の表示部に出力表示する処理と、上記勤務情報取得装置が、出力表示された勤務情報を取得する処理と、上記勤務情報取得装置が、取得した勤務情報及び上記第３の識別情報記憶手段に記憶されている勤務情報取得装置の識別情報を出力する処理と、上記勤務情報収集装置が、出力された勤務情報及び勤務情報取得装置識別情報を収集する処理と、上記勤務情報収集装置が、取得した勤務情報に含まれている勤務情報請求装置の識別情報、及び時間データを抽出し、上記勤務地情報記憶手段を参照して抽出した勤務情報請求装置の識別情報に対応する場所情報を特定する処理と、上記勤務情報収集装置が、上記勤務者情報記憶手段を参照して取得した勤務情報取得装置の識別情報に対応する勤務者情報を特定する処理と、上記勤務情報収集装置が、上記勤務情報から抽出した時間データと、上記特定した場所情報及び勤務者情報とを関連付けて勤務状況記憶手段に記憶する処理とを行うことを特徴とする
【００３２】
本発明の別の観点にかかる勤務情報処理方法は、勤務情報を生成するプログラムを記憶するプログラム記憶手段を有する勤務情報生成補助装置と、当該勤務情報請求生成装置の識別情報を記憶する第１の識別情報記憶手段及び、受け付けた時間データ、及び勤務情報生成プログラムを一時的に記憶するプログラム記憶手段を有する勤務情報請求生成装置と、当該勤務情報取得装置の識別情報を記憶する第２の識別情報記憶手段を有する勤務情報取得装置と、勤務情報請求生成装置の識別情報と当該勤務情報請求生成装置を操作する管理者が存在する場所情報とを関連付けて記憶する勤務地情報記憶手段及び、勤務情報取得装置の識別情報と当該勤務情報取得装置を操作する勤務者情報とを関連付けて記憶する勤務者情報記憶手段を有する勤務情報収集装置とにより実行される方法であって、上記勤務情報請求生成装置が、上記勤務情報生成補助装置へ勤務情報を生成するプログラムを要求する処理と、上記勤務情報生成補助装置が、勤務情報請求生成装置から勤務情報を生成するプログラムの要求を受け付ける処理と、上記勤務情報生成補助装置が、計時手段により時間を計時する処理と、上記勤務情報生成補助装置が、受け付けたプログラムの要求に応じ、上記計時手段で計時した時間データ、及び当該時間データに基づいて時刻に応じて異なる勤務情報を生成する上記プログラム記憶手段に記憶手段に記憶されているプログラムを出力する処理と、上記勤務情報請求生成装置が、出力された時間データ、及び勤務情報生成プログラムを受け付ける処理と、上記勤務情報請求生成装置が、受け付けた上記プログラムに基づいて、上記時間データ、及び上記第１の識別情報記憶手段に記憶されている識別情報を含む勤務情報を生成する処理と、上記勤務情報請求生成装置が、生成した勤務情報を、当該勤務情報請求生成装置の表示部に出力表示する処理と、上記勤務情報取得装置が、出力表示された勤務情報を取得する処理と、上記勤務情報取得装置が、取得した勤務情報及び上記第２の識別情報記憶手段に記憶されている勤務情報取得装置の識別情報を出力する処理と、上記勤務情報収集装置が、出力された勤務情報及び勤務情報取得装置識別情報を収集する処理と、上記勤務情報収集装置が、取得した勤務情報に含まれている勤務情報請求生成装置の識別情報、及び時間データを抽出し、上記勤務地情報記憶手段を参照して抽出した勤務情報請求生成装置の識別情報に対応する場所情報を特定する処理と、上記勤務情報収集装置が、上記勤務者情報記憶手段を参照して取得した勤務情報取得装置の識別情報に対応する勤務者情報を特定する処理と、上記勤務情報収集装置が、上記勤務情報から抽出した時間データと、上記特定した場所情報及び勤務者情報と、を関連付けて勤務状況記憶手段に記憶する処理とを行うことを特徴とする。
【００３３】
また、本発明の別の観点にかかる勤務情報処理方法は、受け付けた勤務情報生成要求から抽出した勤務情報請求取得装置の識別情報を記憶する第１の識別情報記憶手段を有する勤務情報生成装置と、当該勤務情報請求取得装置の識別情報を記憶する第２の識別情報記憶手段を有する勤務情報請求取得装置と、勤務者装置の識別情報を記憶する第３の識別情報記憶手段を有する勤務者装置と、勤務情報請求取得装置の識別情報と当該勤務情報請求取得装置を操作する管理者が存在する場所情報とを関連付けて記憶する勤務地情報記憶手段及び、勤務者装置の識別情報と当該勤務者装置を操作する勤務者情報とを関連付けて記憶する勤務者情報記憶手段を有する勤務情報収集装置とにより実行される方法であって、上記勤務情報請求装置が、勤務情報の生成要求を、上記第２の識別情報記憶手段に記憶している当該勤務情報請求装置の識別情報を含めて上記勤務情報生成装置へ行なう処理と、上記勤務情報生成装置が、勤務情報請求装置からの勤務情報の生成要求を受け付ける処理と、上記勤務情報生成装置が、受け付けた勤務情報生成要求から勤務情報請求装置の識別情報を抽出する処理と、上記勤務情報生成装置が、計時手段により時間を計時する処理と、上記勤務情報生成装置が、受け付けた勤務情報生成要求に応じ、上記計時手段で計時した時間データ及び上記第１の識別情報記憶手段に記憶されている勤務情報請求装置の識別情報に基づいて、時刻に応じて異なる勤務情報を生成する処理と、上記勤務情報生成装置が、生成された勤務情報を勤務情報生成要求のあった当該勤務情報請求装置へ返信する処理と、上記勤務情報請求取得装置が、送信された勤務情報を受け付ける処理と、上記勤務情報請求取得装置が、受け付けた勤務情報を記憶する処理と、上記勤務者装置が当該勤務者装置の識別情報を出力する処理と、上記勤務情報請求取得装置が、出力された勤務者装置の識別情報を取得する処理と、上記勤務情報請求取得装置が、記憶する勤務情報及び取得した勤務者装置の識別情報を上記勤務情報収集装置へ送信する処理と、上記勤務情報収集装置が、送信された勤務情報及び勤務者装置識別情報を収集する処理と、上記勤務情報収集装置が、取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する処理と、上記勤務情報収集装置が、上記勤務者情報記憶手段を参照して取得した勤務者装置の識別情報に対応する勤務者情報を特定する処理と、上記勤務情報収集装置が、上記勤務情報から抽出した時間データと、上記特定した場所情報及び勤務者情報とを関連付けて勤務状況記憶手段に記憶する処理とを行うことを特徴とする。
【００３４】
また、本発明のさらに別の観点にかかる勤務情報処理方法は、勤務情報を生成するプログラムを記憶するプログラム記憶手段を有する勤務情報生成補助装置と、当該勤務情報請求取得装置の識別情報を記憶する第１の識別情報記憶手段及び、受け付けた時間データ、及び勤務情報生成プログラムを一時的に記憶するプログラム記憶手段を有する勤務情報請求取得装置と、勤務者装置の識別情報を記憶する第３の識別情報記憶手段を有する勤務者装置と、勤務情報請求取得装置の識別情報と当該勤務情報請求取得装置を操作する管理者が存在する場所情報とを関連付けて記憶する勤務地情報記憶手段及び、勤務者装置の識別情報と当該勤務者装置を操作する勤務者情報とを関連付けて記憶する勤務者情報記憶手段を有する勤務情報収集装置とにより実行される方法であって、上記勤務情報請求取得装置が、上記勤務情報生成補助装置へ勤務情報を生成するプログラムを要求する処理と、上記勤務情報生成補助装置が、勤務情報請求取得装置から勤務情報を生成するプログラムの要求を受け付ける処理と、上記勤務情報生成補助装置が、計時手段により時間を計時する処理と、上記勤務情報生成補助装置が、受け付けたプログラムの要求に応じ、上記計時手段で計時した時間データ、及び当該時間データに基づいて時刻に応じて異なる勤務情報を生成する上記プログラム記憶手段に記憶されているプログラムを出力する処理と、上記勤務情報請求取得装置が、出力された時間データ、及び勤務情報生成プログラムを受け付ける処理と、上記勤務情報請求取得装置が、受け付けた時間データ、及び勤務情報生成プログラムを記憶する処理と、上記勤務者装置が当該勤務者装置の識別情報を出力する処理と、上記勤務情報請求取得装置が、出力された勤務者装置の識別情報を取得する処理と、上記勤務情報請求取得装置が、受け付けた上記プログラムに基づいて、上記時間データ、上記第１の識別情報記憶手段に記憶されている識別情報、及び取得した勤務者装置の識別情報を含む勤務情報を生成する処理と、上記勤務情報請求取得装置が、生成した勤務情報を上記勤務情報収集装置へ送信する処理と、上記勤務情報収集装置が、送信された勤務情報を収集する処理と、上記勤務情報収集装置が、取得した勤務情報に含まれている勤務情報請求取得装置の識別情報、及び時間データを抽出し、上記勤務地情報記憶手段を参照して抽出した勤務情報請求取得装置の識別情報に対応する場所情報を特定する処理と、上記勤務情報収集装置が、上記勤務者情報記憶手段を参照して取得した勤務者装置の識別情報に対応する勤務者情報を特定する処理と、上記勤務情報収集装置が、上記勤務情報から抽出した時間データと、上記特定した場所情報及び勤務者情報とを関連付けて勤務状況記憶手段に記憶する処理とを行うことを特徴とする。
【００３５】
本発明の一の観点にかかるコンピュータプログラムは、受け付けた勤務情報を表示部に出力表示する勤務情報請求装置と、取得した勤務情報及び当該勤務情報取得装置の識別情報を出力する勤務情報取得装置と、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求装置の識別情報及び時間データを抽出し、上記勤務地情報記憶手段を参照して抽出した勤務情報請求装置の識別情報に対応する場所情報を特定すると共に、上記勤務者情報記憶手段を参照して取得した勤務情報取得装置の識別情報に対応する勤務者情報を特定する勤務情報収集装置と、を有してなる勤務情報処理システムに使用される装置としてコンピュータを機能させるためのコンピュータプログラムであって、コンピュータに対して、時間を計時する処理と、上記勤務情報請求装置から勤務情報の生成要求を受け付ける処理と、上記勤務情報生成要求受付手段で受け付けた勤務情報生成要求から、当該勤務情報請求装置の識別情報を抽出する処理と、上記抽出した当該勤務情報請求装置の識別情報を一時的に記憶する処理と、上記勤務情報生成要求受付手段で受け付けた勤務情報生成要求に応じ、上記計時した時間データ及び記憶されている勤務情報請求装置の識別情報に基づいて、時刻に応じて異なる勤務情報を生成する処理と、上記生成した勤務情報を、勤務情報生成要求のあった当該勤務情報請求装置へ返信する処理と、を実行させることを特徴とする。
【００３６】
本発明の別の観点にかかるコンピュータプログラムは、生成した勤務情報の返信を無線で実行されてもよい。
【００３７】
本発明の別の観点にかかるコンピュータプログラムは、受け付けた時間データ、及び勤務情報生成プログラムに基づいて、上記時間データ、及び当該勤務情報生成装置の識別情報を含む勤務情報を生成し、当該勤務情報請求装置の表示部に出力表示する勤務情報請求生成装置と、取得した勤務情報及び当該勤務情報取得装置の識別情報を出力する勤務情報取得装置と、上記勤務情報請求生成装置の識別情報と当該勤務情報請求生成装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段を有し、上記勤務情報取得装置から出力された勤務情報及び勤務情報取得装置識別情報を収集し、当該勤務情報に含まれている勤務情報請求生成装置の識別情報及び時間データを抽出し、上記勤務地情報記憶手段を参照して抽出した勤務情報請求生成装置の識別情報に対応する場所情報を特定すると共に、上記勤務者情報記憶手段を参照して取得した勤務情報取得装置の識別情報に対応する勤務者情報を特定する勤務情報収集装置と通信可能に構成され、勤務情報を生成するプログラムを記憶するプログラム記憶手段を有する装置としてコンピュータを機能させるためのコンピュータプログラムであって、コンピュータに対して、時間を計時する処理と、上記勤務情報請求生成装置から勤務情報を生成するプログラムの要求を受け付ける処理と、上記受け付けたプログラムの要求に応じ、予め上記プログラム記憶手段に記憶された上記計時した時間データ、及び当該時間データに基づいて時刻に応じて異なる勤務情報を生成するプログラムを出力する処理と、を実行させることを特徴とする。
【００３８】
本発明の別の観点にかかるコンピュータプログラムは、少なくとも計時手段で計時している時間データ及び勤務情報請求装置の識別情報に基づいて時刻に応じて異なる勤務情報を生成して送信する勤務情報生成装置と、勤務情報の生成を要求し、送信された勤務情報を受け付けて表示部に出力表示する勤務情報請求装置、及び出力表示された勤務情報を取得して当該勤務情報及び勤務情報取得装置の識別情報を通知する勤務情報取得装置と通信可能に構成され、上記勤務情報請求装置の識別情報と当該勤務情報請求装置を操作する管理者が存在する場所情報とを関連付けて記憶する勤務地情報記憶手段と、上記勤務情報取得装置の識別情報と当該勤務情報取得装置を操作する勤務者情報とを関連付けて記憶する勤務者情報記憶手段とを有する装置としてコンピュータを機能させるためのコンピュータプログラムであって、コンピュータに対して、上記勤務情報取得装置から出力された勤務情報及び勤務情報取得装置識別情報を収集する処理と、取得した勤務情報に含まれている勤務情報請求装置の識別情報、及び時間データを抽出し、予め記憶する上記勤務地情報記憶手段を参照して抽出した勤務情報請求装置の識別情報に対応する場所情報を特定する処理と、上記勤務者情報記憶手段を参照して取得した勤務情報取得装置の識別情報に対応する勤務者情報を特定する処理と、上記勤務情報から抽出した時間データと、上記特定した場所情報及び勤務者情報とを関連付けて記憶する処理と、を実行させることを特徴とする。
【００３９】
本発明のさらに別の観点にかかるコンピュータプログラムは、少なくとも計時手段で計時した時間データ、及び当該時間データに基づいて時刻に応じて異なる勤務情報を生成するプログラムを出力する勤務情報生成補助装置と、勤務情報を生成するプログラムを要求し、出力された時間データ、及び勤務情報生成プログラムを受け付けて上記時間データ及び勤務情報生成装置の識別情報を含む勤務情報を生成し、表示部に出力表示する勤務情報請求生成装置、及び出力表示された勤務情報を取得して当該勤務情報及び勤務情報取得装置の識別情報を通知する勤務情報取得装置と通信可能に構成され、上記勤務情報請求生成装置の識別情報と当該勤務情報請求生成装置を操作する管理者が存在する場所情報とを関連付けて記憶する勤務地情報記憶手段と、  上記勤務情報取得装置の識別情報と当該勤務情報取得装置を操作する勤務者情報とを関連付けて記憶する勤務者情報記憶手段とを有する装置としてコンピュータを機能させるためのコンピュータプログラムであって、コンピュータに対して、上記勤務情報取得装置から出力された勤務情報及び勤務情報取得装置識別情報を収集する処理と、取得した勤務情報に含まれている勤務情報請求生成装置の識別情報、及び時間データを抽出し、上記勤務地情報記憶手段を参照して抽出した勤務情報請求生成装置の識別情報に対応する場所情報を特定する処理と、上記勤務者情報記憶手段を参照して取得した勤務情報取得装置の識別情報に対応する勤務者情報を特定する処理と、上記勤務情報から抽出した時間データと、上記特定した場所情報及び勤務者情報とを関連付けて記憶する処理と、を実行させることを特徴とする。
【発明の効果】
【００４０】
本発明によれば、特別な装置を設置しなくても、簡単かつ安価な構成により従業者等勤務者の勤務状況を確実に、かつ、効率良く把握することが出来る。
【発明を実施するための最良の形態】
【００４１】
以下、本発明の一実施の形態として、所定の場所に設置された勤務情報生成装置と、勤務先にて勤務者の出退勤といった所定の行動を確認する管理者が操作する勤務情報請求装置と、勤務先に勤務する勤務者が操作する勤務情報取得装置と、勤務者の勤務情報を収集する勤務情報収集装置とから構成されるシステムの一例について、図面を参照して説明する。図１は、本発明の実施の形態に係る勤務情報処理システムの一例を示す概略図である。また、図２は、本実施の形態に係る勤務情報処理システムに用いる勤務情報生成装置と勤務情報請求装置と勤務情報取得装置と勤務情報収集装置の機能ブロック図である。
【００４２】
本実施の形態における勤務情報処理システムは、勤務情報生成装置として時計付二次元コード生成装置１０と、勤務情報請求装置として携帯電話機２０と、勤務情報取得装置としてカメラ付携帯電話機３０と、勤務情報収集装置（サーバ）４０とにより実現される。
そして、カメラ付携帯電話機３０と勤務情報収集装置（サーバ）４０とは、インターネット等の所定のネットワーク５０を介して通信可能に構成されている。
【００４３】
時計付二次元コード生成装置１０は、従業員等の勤務者が勤務する勤務先や、外部の管理センタといった所定の場所に設置された端末である。ＣＰＵ（Central Processing Unit）と、ＣＰＵが実行するコンピュータプログラムと、コンピュータプログラムや所定のデータを記憶することが出来るＲＡＭ、ＲＯＭなどの内部メモリなどにより、図２に示す機能ブロックを構成することが出来る。
なお、この時計付二次元コード生成装置１０は、後述する勤務情報収集装置（サーバ）４０と同じ場所に設置しても良い。
【００４４】
図２に示した機能ブロックは、計時部１１と、勤務情報生成要求受付部１２と、請求装置情報抽出部１３と、勤務情報生成部１４と、勤務情報送信部１５と、標準時刻電波受信部１６と、計時情報修正部１７と、識別情報記憶部１８と、送信先情報記憶部１９とから構成されている。
【００４５】
計時部１１は、時間を計時するクロック手段である。
この計時部１１は、標準電波送信所１００より送信される標準電波を受信して計時情報（例えば、年、月、日、時、分、秒）を修正する所謂電波時計となっている。
【００４６】
勤務情報生成要求受付部１２は、上記携帯電話機２０から送られる勤務情報の生成を要求する情報を受け付ける処理を行う。勤務情報生成の要求は、上記携帯電話機２０からの電話や電子メールにより行われる。すなわち、携帯電話機２０から電話や電子メールがあると、当該電話や電子メールを勤務情報生成の要求情報として受け付ける。
【００４７】
請求装置情報抽出部１３は、勤務情報生成要求受付部１２で受け付けた勤務情報生成要求情報の中から、当該勤務情報請求装置の識別情報を抽出する処理を行う。
抽出された識別情報は、後述する識別情報記憶部１８に一時的に記憶される。
【００４８】
勤務情報生成部１４は、少なくとも上記計時手段で計時した現在時刻の時間データ、及び後述する識別情報記憶部１８に記憶されている勤務情報請求装置２０の識別情報に基づいて、勤務情報を生成する処理を行う。
この勤務情報は、本実施の形態ではＱＲコードである。したがって、時計付二次元コード生成装置１０では、計時部１１が出力する現在時刻及び携帯電話機２０の識別情報を含んだ内容を勤務情報としてのＱＲコードに変換することが出来る。これにより、生成されるＱＲコード情報は、現在時刻をキーとして毎回異なるバーコードが生成されることとなる。
【００４９】
ここで、勤務情報生成部１４が生成する勤務情報としての二次元コードは、ＱＲコードの他にベリコードなどを用いても良い。このコードの生成は、勤務情報生成部１４がＵＳＳ規格などに従ってバーコードを生成することが出来る。
なお、バーコードとしては、二次元バーコードに限らず一次元バーコードでもよく、一次元バーコードとしては、ＪＡＮコード、ＥＡＮ−１２８コードなどを用いても良い。
【００５０】
勤務情報送信部１５は、勤務情報生成部１４で生成された勤務情報を、後述する送信先情報記憶部１９の送信情報を参照して、勤務情報の生成要求のあった携帯電話機２０へ送信する処理を行う。
【００５１】
標準時刻電波受信部１６は、日本標準時刻を基準とする標準電波を受信する処理を行う。また、計時情報修正部１７は、標準時刻電波受信部１６で受信された標準電波に基づき、計時部１１の時刻情報（時刻及びカレンダ）を自動修正する処理を行う。
【００５２】
識別情報記憶部１８は、勤務情報の生成要求のあった勤務情報請求装置２０を特定するための識別情報を一時的に記憶する記憶部である。携帯電話機２０の識別情報は、個々の携帯電話機２０を特定するために付与された固有の文字、数字などからなる情報である。
【００５３】
送信先情報記憶部１９は、請求装置情報抽出部１３により抽出された勤務情報請求装置の識別情報と、生成した勤務情報の送信先情報とを関連付けて記憶する記憶部である。したがって、勤務情報請求装置の識別情報がシリアルＩＤ（番号）や電話番号であったとしても、生成した勤務情報を送信することができる。
【００５４】
これらの構成により、時計付二次元コード生成装置１０は、標準時刻電波受信部１６が標準電波を受信し、計時情報修正部１７が受信した標準電波に基づき計時部１１の時刻情報を標準時刻に修正する。次いで、勤務情報生成要求受付部１２が勤務情報請求装置２０より勤務情報の生成要求を受け付けた際に、請求装置情報抽出部１３が受け付けた勤務情報生成要求情報の中から当該勤務情報請求装置の識別情報を抽出し、抽出した識別情報を識別情報記憶部１８が一時的に記憶する。そして、勤務情報生成部１４が、上記計時手段で計時した現在時刻の時間データ及び識別情報記憶部１８に記憶する勤務情報請求装置２０の識別情報に基づいて勤務情報を生成する。その後、勤務情報請求装置２０の識別情報に基づき送信先情報記憶部１９を参照し、勤務情報送信部１５が、勤務情報の生成要求のあった勤務情報請求装置２０へ生成した勤務情報を送信するようになっている。
【００５５】
携帯電話機２０は、勤務先にて勤務者の出退勤といった所定の行動を確認する管理者が所持し、操作するものであって、ＣＰＵ、コンピュータプログラム、ＲＡＭ・ＲＯＭ等の記憶部により、勤務情報請求部２１、勤務情報受付部２２、勤務情報記憶部２３、識別情報記憶部２４、勤務情報出力表示部２５の機能ブロックを構成することができる。
【００５６】
勤務情報請求部２１は、上記勤務情報生成装置１０に対して、当該勤務情報請求装置の識別情報を含めた勤務情報の生成を要求する処理を行う。したがって、勤務情報請求部２１は、後述する識別情報記憶部２４に記憶している当該勤務情報請求装置の識別情報を含めて勤務情報の生成を要求する。この勤務情報請求装置の識別情報が勤務情報に含まれることにより、どこに勤務先で勤務者を管理する管理者が操作する勤務情報請求装置であるかが把握できるようになる。
【００５７】
勤務情報受付部２２は、勤務情報生成装置１０にて生成し、送信された勤務情報を受け付ける処理を行う。この勤務情報を受け付けは、上記勤務情報請求部２１での勤務情報の生成要求に応じて返信される。
【００５８】
勤務情報記憶部２３は、勤務情報受付部２２で受け付けた勤務情報を一時的に記憶する記憶部である。この勤務情報記憶部２３に記憶された勤務情報は、後述する勤務情報出力表示部２５にて自由に読み出して、表示させることが出来る。
【００５９】
識別情報記憶部２４は、当該勤務情報請求装置の識別情報を記憶する記憶部である。この識別情報は、上記勤務情報請求部２１での勤務情報の生成要求に応じて読み出され、勤務情報生成装置１０に対して送信される。
【００６０】
勤務情報出力表示部２５は、勤務情報受付部２２で受け付けた勤務情報や勤務情報記憶部２３に記憶する勤務情報を、認識可能な画像データとして携帯電話機２０の表示部に表示出力させる処理を行う。この勤務情報出力表示部２３としては、例えば、液晶表示パネルと、この液晶表示パネルの表示制御を行う駆動回路とから構成することが出来る。
なお、勤務情報であるＱＲコードの表示部として、本実施の形態では液晶を用いるが、ＥＬ（エレクトロルミネセンス）や、その他の発光素子を用いることもできる。
【００６１】
これらの構成により、携帯電話機２０は、勤務情報の生成要求時に、識別情報記憶部２４より当該携帯電話機２０の識別情報を読み出し、この識別情報を伴って勤務情報請求部２１より勤務情報生成装置１０に対して勤務情報の生成を要求する。次いで、携帯電話機２０は、勤務情報生成装置１０において生成された勤務情報を勤務情報受付部２２にて受け付け、勤務情報記憶部２３へ記憶する。そして、例えば、勤務先に勤務する従業員等から勤務情報の取得を要求された場合、この勤務情報を携帯電話機２０の表示部に表示出力させ、勤務者が所持し、操作するカメラ付携帯電話機３０にて、当該勤務情報の取得を行わせる。
【００６２】
カメラ付携帯電話機３０は、勤務先に勤務する従業員等の勤務者が所持し、操作するものであって、ＣＰＵ、コンピュータプログラム、ＲＡＭ・ＲＯＭ等の記憶部により、勤務情報取得部３１と、勤務情報出力部３２と、識別情報記憶部３３と、送信先情報記憶部３４の機能ブロックを構成することができる。
【００６３】
勤務情報取得部３１は、携帯電話機２０の勤務情報出力表示部２５に表示されたＱＲコードよりなる勤務情報を読み取る処理を行うものである。勤務情報取得部３１は、例えば、画像を撮像する撮像手段であるＣＣＤカメラと、このＣＣＤカメラにより撮像された画像のバーコードをデコードするためのバーコード認識部から構成される。
【００６４】
勤務情報出力部３２は、取得した勤務情報及び後述する識別情報記憶部３３に記憶されているカメラ付携帯電話機３０の識別情報を出力し、所定の送信先、例えば、勤務情報収集装置（サーバ）４０へ送信する処理を行う。
【００６５】
この際、取得した勤務情報を勤務情報収集装置（サーバ）４０へ送信する手段としては、カメラ付携帯電話機３０によって取得した勤務情報を、送信先情報として予め当該カメラ付携帯電話機３０の送信先情報記憶部３４に記憶している送信先の電話番号やＩＰアドレスに基づいて送信しても良いし、Ｅ−Ｍａｉｌアドレスに基づいて送信しても良いし、ＵＲＬに基づいて所定のＷｅｂサイトにアクセスして、そこでデータを入力するなどして送信することができる。また、送信先情報は、カメラ付携帯電話機３０の内部メモリに記憶するようにしても良い。
【００６６】
これにより、送信先情報が予め当該カメラ付携帯電話機３０に記憶されているものの場合は、勤務情報を自分の都合の良い時に送信したり、勤務情報をまとめて送信したりすることが出来る。
【００６７】
また、カメラ付携帯電話機３０側で送信先情報を持たなくとも、上記勤務情報生成装置１０が内部メモリに送信先のＵＲＬ、ＩＰアドレス、電話番号やＥ−Ｍａｉｌアドレスを記憶しておき、勤務情報を生成する際にこれらの送信先情報を含めてコード化し、この勤務情報を取得したカメラ付携帯電話機３０側で送信先情報を読み取って送信するようにしても良い。
【００６８】
これにより、カメラ付携帯電話機３０側が勤務情報を取得した際に、取得した送信先情報に基づいてメーラーやブラウザーなどの所定のプログラムをプラグインにより起動させ、勤務情報を即時に送信することが出来るので、勤務情報の取得後送信忘れてしまうことが防止できる。
【００６９】
この送信先情報としては、このシステムを用いて勤怠管理を行う場合、ネットワークを介して各従業者の出退時刻の管理を行なう出退管理装置のＷｅｂサイトのＵＲＬ等を特定しておくことにより、当該勤怠管理の勤怠情報として送信することができる。
【００７０】
識別情報記憶部３３は、該勤務情報取得装置としてのカメラ付携帯電話機３０の識別情報を記憶することが出来る記憶部である。この識別情報は、個々のカメラ付携帯電話機３０を識別するために付与された情報であって、例えば、当該カメラ付携帯電話機３０の電話番号でも良いし、又固有のシリアルコードでも良い。
【００７１】
送信先情報記憶部３４は、勤務情報取得部３１にて取得した勤務情報を送信するための所定の送信先情報を記憶する記憶部である。したがって、勤務情報の中に送信先情報が含まれていなくとも、当該送信先情報記憶部３４に記憶する送信先情報を呼び出せば勤務情報を確実に送信することが出来る。
【００７２】
なお、カメラ付携帯電話機３０は、安定した画像を得るために、人物や風景を撮影することを目的とした通常撮像モードとは別に、認証コード表示であるバーコードのコントラストが強調されるように露出を調整したり、輪郭部をより強調するように補正係数を調整したり、解像度を調整したりする、バーコード専用モードを準備し、撮影対象切替手段により切り替えることが出来るようにすると望ましい。
【００７３】
これらの構成により、カメラ付携帯電話機３０は、携帯電話機２０の勤務情報出力表示部２５に表示されたＱＲコードよりなる勤務情報を勤務情報取得部３１で読み取り、読み取った勤務情報に、識別情報記憶部３３に記憶された識別情報を読み出して付け加え、所定の送信先とした、例えば、勤務情報収集装置（サーバ）４０へ勤務情報出力部３２より勤務情報等を送信する。そして、この際勤務情報の中に送信先情報が含まれていない場合は、送信先情報記憶部３４に記憶する送信先情報を呼び出して送信する。
【００７４】
また、勤務情報収集装置（サーバ）４０は、カメラ付携帯電話機３０と通信を介して情報の授受が可能に構成されたものであって、勤務情報受付部４１と、勤務先特定部４２と、勤務者特定部４３と、勤務地情報記憶部４４と、勤務者情報記憶部４５と、勤務状況記憶部４６と、勤務状況通知部４７とを有している。
【００７５】
勤務情報受付部４１は、カメラ付携帯電話機３０から送られた勤務情報を受け付ける処理を行う。勤務情報受付部４１は、カメラ付携帯電話機３０から送られた勤務情報が暗号化されものである場合、この情報を復号化する処理も行うことが出来る。したがって、受付けた勤務情報を後述する勤務先特定部４２及び勤務者特定部４３等で解析することで、誰が、どこで、いつ、勤務情報の読み取り操作を行ったか特定することができる。
【００７６】
勤務先特定部４２は、勤務情報受付部４１で取得した勤務情報に含まれている勤務情報請求装置２０の識別情報、及び時間データを抽出し、上記勤務地情報記憶部４４を参照して抽出した識別情報に対応する勤務情報請求装置２０を操作する管理者が存在する場所情報（勤務先）を特定する処理を行う。
【００７７】
勤務者特定部４３は、勤務情報受付部４１で勤務情報と共に取得した勤務情報取得装置の識別情報に基づき、上記勤務者情報記憶部４５を参照して取得した識別情報に対応する勤務情報取得装置を操作する勤務者情報より勤務者を特定する処理を行う。
【００７８】
勤務地情報記憶部４４は、勤務情報請求装置２０の識別情報と当該勤務情報請求装置２０を操作する管理者が存在する場所情報とを関連付けて記憶する記憶部である。この勤務情報記憶部４４に記憶されているデータ構成としては、たとえば図１２に示すような、勤務地情報データベース４４Ａとして、勤務情報における勤務情報請求装置としての請求装置ＩＤ、当該請求装置の所有者（管理者）の氏名、当該請求装置の管理場所（勤務先）、電話番号等が記憶できるようになっている。したがって、請求装置情報が分かれば、当該請求装置を所有する所有者（管理者）の氏名、管理場所（勤務先）、電話番号等が特定できる。
【００７９】
勤務者情報記憶部４５は、勤務情報取得装置３０の識別情報と当該勤務情報取得装置３０を操作する勤務者情報とを関連付けて記憶する記憶部である。この勤務者情報記憶部４５に記憶されるデータ構成としては、たとえば図１３に示すような勤務者情報データベース４５Ａが考えられる。この勤務者情報データベース４５Ａには、勤務情報における取得装置情報としての取得装置ＩＤ、当該取得装置の所有者（勤務者）の氏名、住所、電話番号等が登録されている。したがって、取得装置情報が分かれば、その取得装置が所有登録されている氏名、住所、電話番号等が特定できる。
【００８０】
勤務状況記憶部４６は、勤務先特定部４２及び勤務者特定部４３で特定された勤務先及び勤務者の情報を勤務状況情報として記憶することが出来る記憶部である。記憶される勤務状況情報は、その後勤務者を管理する者（派遣会社など）に対して開示される。
【００８１】
勤務状況通知部４７は、上記勤務状況記憶部４６に記憶される勤務状況情報を、勤怠情報管理装置６０へ送る処理を行う。この勤務状況情報は、後述する勤怠情報管理装置６０へ送り、所謂インターネットタイムレコ−ダによって勤務者の給与計算等を行うのに利用することが出来る。
なお、勤怠情報管理装置６０への勤務情報の送信は、勤務者を管理する者（派遣会社など）が指示、登録した場合だけ行うようにしても良い。
【００８２】
ここで、勤怠情報管理装置６０にて提供するタイムレコ−ダ機能について簡単に説明すると、タイムレコ−ダ機能は、上述したように、従業者の出勤時刻、退出時刻等を従業者の識別ＩＤに関連付けて入力し、従業者の出退予定や休日予定といった勤務予定の管理を行なう勤務予定データと、従業者の実際の出退時刻（勤務実績）の管理を行なう勤務実績データとに基づいて、各従業者の勤務時間の集計、総労働時間の集計等を行うものである。
【００８３】
これらの構成により、勤務情報収集装置（サーバ）４０は、カメラ付携帯電話機３０から送られた勤務情報等を勤務情報受付部４１にて受け付ける。次いで、勤務先特定部４２において、受け付けた勤務情報等から勤務情報請求装置の識別情報、及び時間データを抽出し、勤務地情報記憶部４４を参照して抽出した識別情報に対応する勤務情報請求装置を操作する管理者が存在する場所情報（勤務先）を特定すると共に、勤務者特定部４３において、勤務情報と共に取得した勤務情報取得装置の識別情報に基づき、上記勤務者情報記憶部４５を参照して取得した識別情報に対応する勤務情報取得装置を操作する勤務者情報より勤務者を特定する。そして、特定された勤務先及び勤務者の情報を勤務状況情報として勤務状況記憶部４６に記憶し、その後、希望に応じてこの勤務状況情報を勤怠情報管理装置６０へ送るものとする。
【００８４】
なお、上述の実施形態では、勤務情報請求装置２０を携帯電話機としたが、時計付二次元コード生成装置１０と通信可能であり、生成された勤務情報を出力表示することが可能であれば、ノート型のパーソナルコンピュータやＰＤＡであっても良い。
また、時計付二次元コード生成装置１０と勤務情報収集装置（サーバ）４０とを同一の場所に設置したり、一体として構成したりしても良い。
【００８５】
次に、図１及び図２に示したシステムにより実行される方法の一例を、図３に基づき説明する。
なお、図３の例では、勤務情報生成装置１０は勤務場所とは異なる所定の場所に設置されているものとし、また、勤務情報としてＱＲコードを用いるものとする。
【００８６】
まず、勤務者が出勤することに伴い、勤務先の管理者が操作する携帯電話機２０より時計付二次元コード生成装置１０に対して、勤務情報の生成を要求する（１）。この勤務情報の生成要求は、携帯電話機２０の勤務情報請求部２１が、識別情報記憶部２４に記憶している当該携帯電話機２０の識別情報を伴って行われる。
【００８７】
一方、時計付二次元コード生成装置１０では、勤務情報生成要求受付部１２が携帯電話機２０からの勤務情報の生成要求を受け付ける（２）。
【００８８】
勤務情報の生成要求が受け付けられると、時計付二次元コード生成装置１０では、請求装置情報抽出部１３が、受け付けた勤務情報生成要求から携帯電話機２０の識別情報を抽出し、抽出した識別情報を識別情報記憶部１８に一時的に記憶する（３）。
【００８９】
次いで、勤務情報生成部１４が、計時部１１を参照し、識別情報記憶部１８に記憶されている携帯電話機２０の識別情報に基づき、上記計時部１１で計時した時間データ及び当該識別情報を含んだ勤務情報を生成する（４）。
【００９０】
なお、時計付二次元コード生成装置１０では、勤務情報の生成に先立って標準時刻電波受信部１６にて標準電波を受信し（Ａ）、計時情報修正部１７にて受信した標準電波に基づき計時部１１の時刻情報の自動修正を行う（Ｂ）。
【００９１】
そして、時計付二次元コード生成装置１０では、勤務情報送信部１５が、生成された勤務情報を勤務情報生成要求のあった当該勤務情報請求装置へ返信する（５）。
この際、勤務情報生成要求受付部１２で受け付けた勤務情報の生成要求が電話によるものであったとしても、送信先情報記憶部１９を参照することで、請求装置情報抽出部１３により抽出された携帯電話機２０の識別情報と関連付けて記憶されている送信先情報を取得することが可能であり、生成した勤務情報を確実に送信することができる。
【００９２】
次いで、携帯電話機２０では、勤務情報受付部２２が、時計付二次元コード生成装置１０より送信された勤務情報を受け付ける（６）。
【００９３】
勤務情報が受け付けられると、携帯電話機２０では、勤務情報記憶部２３が受け付けた勤務情報を記憶する（７）。
【００９４】
そして、勤務情報出力表示部２５が、時計付二次元コード生成装置１０で生成され、勤務情報記憶部２３に記憶された勤務情報を、当該携帯電話機２０の出力表示部２５に出力表示する（８）。
【００９５】
次いで、勤務先へ勤務（出勤）した勤務者は、携帯電話機２０の表示部に勤務情報が表示されると、カメラ付携帯電話機３０の勤務情報取得部３１であるＣＣＤカメラを用いて、この勤務情報部分を撮像することで勤務情報を取得する（９）。
【００９６】
なお、本実施の形態においては勤務情報を勤務情報出力表示部２５にて表示するものとしたが、携帯電話機２０にブルートゥースなど無線発信機を付け、カメラ付携帯電話機３０に無線受信機をつけて、無線によって勤務情報の取得が可能となるようにしても良い。
【００９７】
勤務情報が取得されると、勤務情報出力部３２が、識別情報記憶部３３に記憶されている当該カメラ付携帯電話機３０の識別情報を参照し、取得した勤務情報及び当該識別情報を出力して、勤務情報収集装置（サーバ）４０へ送信する（１０）。
【００９８】
この際、カメラ付携帯電話機３０では、取得した勤務情報に送信先情報が含まれているか否かを確認し、その結果、勤務情報に送信先情報が含まれている場合は、その送信先情報を読み取り送信してもよい。また、勤務情報に送信先情報が含まれていない場合は、送信先情報記憶部３４を参照して予め当該カメラ付携帯電話機３０に登録されている送信先情報を検索し、勤務情報の送信先を指示する。なお、勤務情報は、カメラ付携帯電話機３０のメモリ等に一旦記憶し、後からまとめて送信するようにしても良い。
【００９９】
次いで、勤務情報収集装置（サーバ）４０では、カメラ付携帯電話機３０より送られた勤務情報及び当該カメラ付携帯電話機３０の識別情報を勤務情報受付部４１にて受け付け収集する（１１）。
【０１００】
この勤務情報を受け付けると、勤務先特定部４２が、まず、受け付けた勤務情報に含まれている勤務情報請求装置２０の識別情報、及び時間データを抽出する（１２）。識別情報及び時間データが抽出されると、引き続き勤務先特定部４２が、勤務地情報記憶部４４を参照して、抽出した携帯電話機２０の識別情報に対応する管理場所情報（勤務先）を特定する（１３）。
【０１０１】
また、当該カメラ付携帯電話機３０の識別情報を受け付けると、上記場所情報の特定と平行して、勤務者特定部４３が、勤務者情報記憶部４５を参照して、取得したカメラ付携帯電話機３０の識別情報に対応する勤務者情報を特定する（１３）。
【０１０２】
この勤務先特定部４２により特定した勤務先と勤務者特定部４３により特定した勤務者の情報、及び勤務情報から抽出した時間データは、引き続き勤務状況記憶部４６に記憶する（１４）。
【０１０３】
そして、ここで登録された勤務情報は、要望に応じ、勤務状況通知部４７によって勤怠情報管理装置６０へ送る。その後、勤怠情報管理装置６０では、所謂インターネットタイムレコ−ダによって勤務者勤怠管理を行い、給与計算等を行うのに利用することが出来る。
【０１０４】
次に、上述の勤務情報処理システムにおける勤務情報生成装置としての時計付二次元コード生成装置１０の詳細な動作の一例を、図４を参照し説明する。
まず、時計付二次元コード生成装置１０側での動作は、図４に示すように、標準時刻電波受信部１６が、標準電波送信所１００より送られる標準電波を受信する（Ｓ１１）。標準時刻電波受信部１６で受信した標準時刻電波を計時情報修正部１７へ送り、計時情報修正部１７で受信した標準電波に基づき計時部１１の計時情報（時刻情報）の自動修正を行う（Ｓ１２）。
【０１０５】
次いで、勤務情報生成要求受付部１２では、勤務情報の生成要求を受け付けたか否かを判別する（Ｓ１３）。
【０１０６】
判別の結果、勤務情報の生成要求を受け付けた場合（Ｙ）は、続いて請求装置情報抽出部１３が、勤務情報生成要求受付部１２で受け付けた勤務情報生成要求情報の中から、当該勤務情報請求装置である携帯電話機２０の識別情報を抽出する（Ｓ１４）。また、抽出された識別情報は、識別情報記憶部１８に一時的に記憶する。
【０１０７】
一方、判別の結果、勤務情報の生成要求を受け付けなかった場合（Ｎ）は、再度標準時刻電波の受信（Ｓ１１）、計時情報の修正（Ｓ１２）、及び勤務情報の生成要求を受け付けたか否かの判別（Ｓ１３）を繰り返す。
【０１０８】
また、勤務情報の生成要求を受け付けた場合（Ｙ）は、勤務情報生成部１４が、計時部１１を参照し時間データを計時する（Ｓ１５）。
【０１０９】
次いで、勤務情報生成部１４が、識別情報記憶部１８に記憶されている携帯電話機２０の識別情報に基づき、上記計時部１１で計時した時間データ及び当該識別情報を含んだ勤務情報を生成する（Ｓ１６）。
【０１１０】
そして、勤務情報生成部１４で生成された勤務情報は、勤務情報の生成要求のあった携帯電話機２０へ返信されように勤務情報送信部１５によって送信する（Ｓ１７）。この際、勤務情報生成要求受付部１２で受け付けた勤務情報の生成要求が電話によるものであり、勤務情報の送信先が不明の場合は、携帯電話機２０の識別情報と送信先情報とを関連付けて記憶する送信先情報記憶部１９を参照し、送信先情報を取得することで勤務情報を勤務情報の生成要求のあった携帯電話機２０へ送信する。
【０１１１】
これにより、時計付二次元コード生成装置１０での携帯電話機２０の識別情報を含んだ一連の勤務情報の生成処理が終了（エンド）する。
【０１１２】
次に、勤務情報請求装置としての携帯電話機２０側の処理方法の一例を図５に示す。
図５に示すように、まず、携帯電話機２０側での動作は、勤務情報請求部２１が、勤務情報の生成要求指示を受け付けたか否かを判別する（Ｓ２１）。
【０１１３】
判別の結果、勤務情報の生成要求指示を受け付けた場合（Ｙ）は、続いて勤務情報請求部２１が、勤務情報請求装置２０の識別情報記憶部２４を参照し、当該勤務情報請求装置の識別情報を含めた勤務情報の生成を要求する（Ｓ２２）。
一方、判別の結果、勤務情報の生成要求指示を受け付けなかった場合（Ｎ）は、再度勤務情報の生成要求指示を受け付けたか否かの判別（Ｓ２１）を繰り返す。
【０１１４】
次いで、勤務情報受付部２２では、勤務情報の生成要求に応じて、勤務情報を受け付けたか否かを判別する（Ｓ２３）。
【０１１５】
判別の結果、勤務情報を受け付けた場合（Ｙ）は、受け付けた勤務情報を勤務情報記憶部２３に記憶する（Ｓ２４）。
一方、判別の結果、勤務情報を受け付けない場合（Ｎ）は、再度勤務情報の生成要求指示を受け付けたか否かの判別（Ｓ２１）を繰り返す。
【０１１６】
勤務情報が受け付けられると、勤務情報出力表示部２５が受け付けた勤務情報を当該携帯電話機２０の表示部に出力表示する（Ｓ２５）。
これにより、携帯電話機２０での勤務情報の請求処理が終了（エンド）する。
【０１１７】
次に、勤務情報取得装置としてのカメラ付携帯電話機３０側の処理方法の一例を図６に示す
図６に示すように、まず、カメラ付携帯電話機３０の勤務情報取得部３１が、携帯電話機２０から勤務情報を取得したか否かを判別する（Ｓ３１）。
【０１１８】
判別の結果、勤務情報の取得があった場合（Ｙ）は、勤務情報取得部３１で取得した勤務情報の中に送信する勤務情報収集装置（サーバ）４０の送信先情報が含まれているか否かを判別する（Ｓ３２）。
一方、勤務情報の取得がなかった場合（Ｎ）は、再度勤務情報を取得したか否かを判別する（Ｓ３１）。
【０１１９】
次いで、送信先情報の有無の判別の結果、送信先情報が含まれている場合（Ｙ）は、識別情報記憶部３３を参照し、勤務情報出力部３２にて携帯電話機２０から取得した勤務情報に、カメラ付携帯電話機３０の識別情報を付加して勤務情報収集装置（サーバ）４０へする（Ｓ３４）。
【０１２０】
一方、送信先情報が含まれていない場合（Ｎ）は、送信先情報記憶部３４を参照し、予め当該カメラ付携帯電話機３０に登録されている送信先情報を抽出する（Ｓ３３）。
その後、勤務情報出力部３２にて、勤務情報と共にカメラ付携帯電話機３０の識別情報を勤務情報収集装置（サーバ）４０へする（Ｓ３４）。
これによりカメラ付携帯電話機３０での一連の勤務情報の取得処理が終了（エンド）する。
【０１２１】
一方、勤務情報収集装置（サーバ）４０側での動作は、図７に示すように、まず、勤務情報受付部４１が上記勤務情報及びカメラ付携帯電話機３０の識別情報を受け付けたか（収集したか）否かを判別する（Ｓ４１）。
【０１２２】
判別の結果、上記勤務情報及びカメラ付携帯電話機３０の識別情報を受け付けた場合（Ｙ）は、勤務先特定部４２が、受け付けた勤務情報より携帯電話機２０の識別情報及び時間データを抽出する（Ｓ４２）。
【０１２３】
一方、勤務情報及びカメラ付携帯電話機３０の識別情報を受け付けていない場合（Ｎ）は、再度勤務情報及びカメラ付携帯電話機３０の識別情報を受け付けたか（収集したか）否かの判別を繰り返す（Ｓ４１）。
【０１２４】
携帯電話機２０の識別情報が抽出されると、引き続き勤務先特定部４２が勤務地情報記憶部４４に基づき管理場所（勤務先）を特定する（Ｓ４３）。管理場所を特定する処理としては、勤務先特定部４２が、勤務地情報記憶部４４を参照して、カメラ付携帯電話機３０から受信した携帯電話機２０の識別情報（請求装置ＩＤ）に対応する当該携帯電話機２０を所有する管理者が管理する場所を特定することにより、当該管理場所を勤務先として特定することが出来る。
【０１２５】
一方、カメラ付携帯電話機３０の識別情報を受け付けると、引き続き勤務者特定部４３が、勤務者情報記憶部４５に基づき勤務者を特定する（Ｓ４４）。勤務者を特定する処理としては、勤務者特定部４３が、勤務者情報記憶部４５を参照して、受け付けたカメラ付携帯電話機３０の識別情報（取得装置ＩＤ）に対応する当該カメラ付携帯電話機３０の所持者を特定することにより、当該所持者を勤務者として特定することが出来る。
【０１２６】
そして、この抽出された時間データは、勤務者の出勤等所定の行動開始又は終了時間を示す勤務状況情報として、また、特定された管理場所（勤務先）情報は、勤務先を示す勤務状況情報として、また、特定された勤務者情報は、勤務者を示す勤務状況情報として、それぞれ勤務状況記憶部４６に記憶する（Ｓ４５）。
これにより勤務情報収集装置４０側での一連の勤務情報の取得処理が終了（エンド）する。
【０１２７】
なお、勤務状況記憶部４６に記憶された各勤務状況情報は、その後勤務状況通知部４７によって勤怠情報管理装置６０へ送ることによって勤務者勤怠管理を行い、給与計算等を行うのに利用するようにしても良い。
【０１２８】
なお、本実施の形態では、勤務情報をカメラ付携帯電話機で取得する場合について説明
するものであるので、勤務情報を勤務情報出力表示部２５にて表示するものとしたが、ブルートゥース、赤外線通信等の無線ＬＡＮによる送受信システムによって勤務情報の取得を行なうようにしても良い。
【０１２９】
このように、本実施の形態によれば、特別な装置を設置しなくても、近年、広く普及している携帯電話機を用いることで、簡単かつ安価な構成により従業者等勤務者の勤務状況を確実に、かつ、効率良く把握することが出来る。
これら携帯電話機の操作で出勤と退勤の２つの情報を、確実かつ効率的に取得することが出来る。
【０１３０】
次に、本発明の別の実施の形態として、管理者が操作する端末側に勤務情報を生成するプログラムを取得（ダウンロード）して、勤務情報を処理する場合の例について、図面を参照して説明する。
図８は、本発明の別の実施の形態に係る勤務情報処理システムに用いる各装置をそれぞれ概略的に示すブロック図である。
【０１３１】
図８に示すように、本実施の形態における勤務情報処理システムは、勤務情報生成補助装置としての時計付二次元コード生成装置１１０（以下、「プログラム提供装置１１０」と言う。）と、勤務情報請求生成装置としての携帯電話機１２０と、カメラ付携帯電話機３０と、勤務情報収集装置としての勤務管理サーバ４０とにより実現される。
そして、カメラ付携帯電話機３０と勤務管理サーバ４０とは、インターネット等の所定のネットワーク５０を介して通信可能に構成されている。
なお、本実施の形態の説明では、前述した実施の形態の共通する部分は同じ符号を付し、その説明は省略する。
【０１３２】
プログラム提供装置１１０は、従業員等の勤務者が勤務する勤務先や、外部の管理センタといった所定の場所に設置された端末であって、ＣＰＵ（Central Processing Unit）と、ＣＰＵが実行するコンピュータプログラムと、コンピュータプログラムや所定のデータを記憶することが出来るＲＡＭ、ＲＯＭなどの内部メモリなどにより機能ブロックを構成することが出来る。
【０１３３】
図８に示した機能ブロックは、計時部１１１と、勤務情報生成のためのプログラム要求受付部１１２と、勤務情報出力部１１３と、標準時刻電波受信部１１４と、計時情報修正部１１５と、プログラム記憶部１１８とから構成されている。また、プログラム提供装置１１０は、勤務管理サーバ４０と同じ場所に設置しても良い。
【０１３４】
計時部１１１は、前記実施の形態での勤務情報生成装置における計時部１１と同様、時間を計時するクロック手段である。
したがって、この計時部１１１は、標準電波送信所１００より送信される標準電波を受信して計時情報（例えば、年、月、日、時、分、秒）を修正する所謂電波時計となっている。
【０１３５】
プログラム要求受付部１１２は、上記携帯電話機１２０から送られる、勤務情報として例えばＱＲコードの生成を可能とするプログラムを要求する情報を受け付ける処理を行う。
【０１３６】
勤務情報出力部１１３は、プログラム要求受付部１１２で受け付けたプログラムの要求に応じ、上記計時手段１１１で計時した時間データ、及び当該時間データに基づいて時刻に応じて異なる勤務情報を生成する、後述するプログラム記憶部１１８に記憶されているプログラムを出力する処理を行う。
【０１３７】
標準時刻電波受信部１１４は、前記実施の形態での勤務情報生成装置における標準時刻電波受信部１６と同様、日本標準時刻を基準とする標準電波を受信する処理を行う。
また、計時情報修正部１１５は、前記実施の形態での勤務情報生成装置における計時情報修正部１７と同様、標準時刻電波受信部１１４で受信された標準電波に基づき、計時部１１１の時刻情報（時刻及びカレンダ）を自動修正する処理を行う。
【０１３８】
プログラム記憶部１８は、ＱＲコードといった勤務情報を生成するプログラムを、ダウンロード可能に記憶する記憶部である。
【０１３９】
これらの構成により、プログラム提供装置１１０は、標準時刻電波受信部１１４が標準電波を受信し、計時情報修正部１１５が受信した標準電波に基づき計時部１１１の時刻情報を標準時刻に修正する。次いで、プログラム要求受付部１１２が、携帯電話機１２０からプログラムのダウンロード要求を受け付けると、勤務情報出力部１１３より勤務情報の生成するプログラムを出力するようになっている。
【０１４０】
携帯電話機１２０は、勤務先にて勤務者の出退勤といった所定の行動を確認する管理者が所持し、操作するものであって、ＣＰＵ、コンピュータプログラム、ＲＡＭ・ＲＯＭ等の記憶部により、勤務情報生成プログラム請求部１２１、プログラム受付部１２２、プログラム記憶部１２３、識別情報記憶部１２４、勤務情報生成部１２５、勤務情報出力表示部１２６の機能ブロックを構成することができる。
【０１４１】
勤務情報生成プログラム請求部１２１は、プログラム提供装置１１０に対して、勤務情報を生成するプログラムを要求する処理を行う。
【０１４２】
プログラム受付部１２２は、プログラム提供装置１１０から出力された時間データ、及び勤務情報生成プログラムを受け付ける処理を行う。
【０１４３】
プログラム記憶部１２３は、プログラム受付部１２２で受け付けた時間データ、及び勤務情報を生成するプログラムを一時的に記憶する。すなわち、当該プログラムは所定時間経過後、削除処理される。
【０１４４】
識別情報記憶部１２４は、当該携帯電話機１２０の識別情報を記憶する記憶部である。この識別情報は、後述する勤務情報生成部１２５での勤務情報の生成に応じて読み出される。
【０１４５】
勤務情報生成部１２５は、プログラム受付部１２２で受け付け、プログラム記憶部１２３に一時的に記憶されたプログラムに基づいて、時間データ及び識別情報記憶部１２４に記憶している当該携帯電話機１２０の識別情報を含む勤務情報を生成する処理を行う。
この勤務情報は、本実施の形態ではＱＲコードとして生成する。このコードの生成もまた、勤務情報生成部１２５がＵＳＳ規格などに従ってバーコードを生成することが出来る。
【０１４６】
また、携帯電話機１２０では、プログラム提供装置１１０から出力された時間データ、及び携帯電話機１２０の識別情報を含んだ内容を勤務情報としてＱＲコードに変換することが出来る。これにより、生成されるＱＲコード情報は、プログラム提供装置１１０から受け付けた時間データをキーとして毎回異なるバーコードが生成されることとなる。
【０１４７】
ここでも、勤務情報生成部１２５が生成する勤務情報としての二次元コードは、ＱＲコードの他にベリコードなどを用いても良く、また、ＪＡＮコード、ＥＡＮ−１２８コードなどの一次元バーコードでも良い。
【０１４８】
勤務情報出力表示部１２６は、勤務情報生成部１２５にて生成された勤務情報を、当該携帯電話機１２０の表示部に出力表示する処理を行う。この勤務情報出力表示部１２６としては、例えば、液晶表示パネルと、この液晶表示パネルの表示制御を行う駆動回路とから構成することが出来る。
なお、勤務情報であるＱＲコードの表示部として、本実施の形態では液晶を用いるが、ＥＬ（エレクトロルミネセンス）や、その他の発光素子を用いることもできる。
【０１４９】
これらの構成により、携帯電話機１２０は、勤務情報生成プログラム請求部１２１より請求した勤務情報の生成するプログラムをプログラム受付部１２２で受け付け、当該プログラムを一旦プログラム記憶部１２３に記憶する。そして、勤務情報生成部１２５において、勤務情報の生成に応じて当該携帯電話機１２０の識別情報を読み出し、プログラム記憶部１２３に記憶している当該プログラムを実行し、時間データ及び識別情報記憶部１２４に記憶している当該携帯電話機１２０の識別情報を含む勤務情報を生成する。その後、この勤務情報を携帯電話機１２０の表示部に表示出力させ、勤務者が所持し、操作するカメラ付携帯電話機３０にて、当該勤務情報の取得を行なわせる。
【０１５０】
なお、カメラ付携帯電話機３０及び勤務管理サーバ４０は、前記実施の形態におけるカメラ付携帯電話機３０及び勤務管理サーバ４０の機能ブロックと同じに構成することができる。
したがって、これらの構成により、カメラ付携帯電話機３０により取得された勤務情報等は、勤務管理サーバ４０へ送られ、勤務先及び勤務者が特定される。そして、特定された勤務先及び勤務者の情報を勤務状況情報として勤務状況記憶部４６に記憶し、その後、希望に応じてこの勤務状況情報を勤怠情報管理装置としてのネットワークタイムレコーダ６０へ送るものとする。
【０１５１】
次に、図８に示したシステムにより実行される方法の一例を、図９に基づき説明する。図９は、本発明の実施の形態に係る勤務情報処理システムにおいて、所定の場所に設置された勤務情報生成補助装置１１０より取得した勤務情報生成プログラムにしたがって、携帯電話機１２０にてＱＲコードよりなる勤務情報を生成し、この生成した勤務情報を勤務情報取得装置としてのカメラ付携帯電話機３０で取得し、この取得した勤務情報を勤務管理サーバ４０へ送信する場合の処理の流れを示すシーケンス図である。
【０１５２】
まず、勤務者が出勤することに伴い、勤務先の管理者が操作する携帯電話機１２０の勤務情報生成プログラム請求部１２１よりプログラム提供装置１１０に対して、勤務情報生成プログラムを要求する（１０１）。
【０１５３】
一方、プログラム提供装置１１０では、プログラム要求受付部１１２が携帯電話機１２０からの勤務情報生成プログラム提供の要求を受け付ける（１０２）。
【０１５４】
勤務情報生成プログラム提供の要求が受け付けられると、プログラム提供装置１１０では、計時手段１１１で時間を取得する（１０３）。
なお、プログラム提供装置１１０では、勤務情報の生成に先立って標準時刻電波受信部１１４にて標準電波を受信し（Ａ）、計時情報修正部１１５にて受信した標準電波に基づき計時部１１１の時刻情報の自動修正を行う（Ｂ）。
【０１５５】
そして、勤務情報出力部１１３において、上記時間データ及び当該時間データに基づいて時刻に応じて異なる勤務情報を生成する、後述するプログラム記憶部１１８に記憶されているプログラムを送信出力する（１０４）。
【０１５６】
携帯電話機１２０では、プログラム受付部１２２において、プログラム提供装置１１０より出力された時間データ及び勤務情報生成プログラムを受け付け、プログラム記憶部１２３に記憶する（１０５）。
【０１５７】
次いで、勤務情報生成部１２５が、上記時間データ及び識別情報記憶部１２４に記憶している当該携帯電話機１２０の識別情報を含む勤務情報を生成する（１０６）。
【０１５８】
そして、勤務情報出力表示部１２６が、携帯電話機１２０側で生成された勤務情報を、当該携帯電話機２０の表示部に出力表示する（１０７）。
【０１５９】
その後、上記実施の形態と同様に、勤務先へ勤務（出勤）した勤務者が、携帯電話機１２０の表示部に表示された勤務情報を、カメラ付携帯電話機３０の勤務情報取得部３１であるＣＣＤカメラを用いて、この勤務情報部分を撮像することで勤務情報を取得する（１０８）。
【０１６０】
なお、本実施の形態においては勤務情報を勤務情報出力表示部１２６にて表示するものとしたが、携帯電話機１２０にブルートゥースなど無線発信機を付け、カメラ付携帯電話機３０に無線受信機をつけて、無線によって勤務情報の取得が可能となるようにしても良い。
【０１６１】
勤務情報が取得されると、勤務情報出力部３２が、識別情報記憶部３３に記憶されている当該カメラ付携帯電話機３０の識別情報を参照し、取得した勤務情報及び当該識別情報を出力して、勤務管理サーバ４０へ送信する（１０９）。
【０１６２】
次いで、勤務管理サーバ４０では、カメラ付携帯電話機３０より送られた勤務情報及び当該カメラ付携帯電話機３０の識別情報を勤務情報受付部４１にて受け付け収集する（１１０）。
【０１６３】
この勤務情報を受け付けると、勤務先特定部４２が、まず、受け付けた勤務情報に含まれている勤務情報請求生成装置の識別情報、及び時間データを抽出する（１１１）。識別情報及び時間データが抽出されると、引き続き勤務先特定部４２が、勤務地情報記憶部４４を参照して、抽出した携帯電話機１２０の識別情報に対応する管理場所情報（勤務先）を特定する（１１２）。
【０１６４】
また、当該カメラ付携帯電話機３０の識別情報を受け付けると、上記場所情報の特定と平行して、勤務者特定部４３が、勤務者情報記憶部４５を参照して、取得したカメラ付携帯電話機３０の識別情報に対応する勤務者情報を特定する（１１２）。
【０１６５】
そして、この勤務先特定部４２により特定した勤務先と勤務者特定部４３により特定した勤務者の情報、及び勤務情報から抽出した時間データは、引き続き勤務状況記憶部４６に記録する（１１３）。
【０１６６】
また、ここで登録された勤務情報は、要望に応じ、勤務状況通知部４７によって勤怠情報管理装置６０へ送る。その後、勤怠情報管理装置６０では、所謂インターネットタイムレコ−ダによって勤務者勤怠管理を行い、給与計算等を行うのに利用することが出来る。
【０１６７】
次に、上述の勤務情報処理システムにおける勤務情報生成補助装置としてのプログラム提供装置１１０の動作の一例を、図１０を参照し説明する。
まず、プログラム提供装置１１０側での動作は、図１０に示すように、標準時刻電波受信部１１４が、標準電波送信所１００より送られる標準電波を受信する（Ｓ１１１）。標準時刻電波受信部１１４で受信した標準時刻電波を計時情報修正部１１５へ送り、計時情報修正部１１５で受信した標準電波に基づき計時部１１１の計時情報（時刻情報）の修正を行う（Ｓ１１２）。
【０１６８】
次いで、プログラム要求受付部１１２では、勤務情報生成プログラムの要求を受け付けたか否かを判別する（Ｓ１１３）。
【０１６９】
判別の結果、勤務情報生成プログラムの要求を受け付けた場合（Ｙ）は、続いて計時部１１１を参照し時間を取得する（Ｓ１１４）。
一方、判別の結果、勤務情報生成プログラムの要求を受け付けなかった場合（Ｎ）は、再度標準時刻電波の受信（Ｓ１１１）、計時情報の修正（Ｓ１１２）、及び勤務情報生成プログラムの要求を受け付けたか否かの判別（Ｓ１１３）を繰り返す。
【０１７０】
次いで、勤務情報出力部１１３が、上記取得時間及び勤務情報を生成するためのプログラムを出力する（Ｓ１１５）。
【０１７１】
これにより、プログラム提供装置１１０での一連の勤務情報生成プログラムの出力処理が終了（エンド）する。
【０１７２】
次に、勤務情報請求生成装置としての携帯電話機１２０側の処理方法の一例を図１１に示す。
図１１に示すように、まず、携帯電話機１２０側での動作は、勤務情報生成プログラム請求部１２１が、操作者から勤務情報生成プログラムの要求指示を受け付けたか否かを判別する（Ｓ１２１）。
【０１７３】
判別の結果、勤務情報生成プログラムの要求指示を受け付けた場合（Ｙ）は、続いて勤務情報生成プログラム請求部１２１が、勤務情報生成プログラムを要求する（Ｓ１２２）。
一方、判別の結果、勤務情報生成プログラムの要求指示を受け付けなかった場合（Ｎ）は、再度勤務情報生成プログラムの要求指示を受け付けたか否かの判別（Ｓ１２１）を繰り返す。
【０１７４】
次いで、プログラム受付部１２２では、勤務情報生成プログラムの要求に応じて、上記計時手段１１１で計時した時間データ及び当該時間データに基づいて時刻に応じて異なる勤務情報を生成するプログラムを受け付けたか否かを判別する（Ｓ１２３）。
【０１７５】
判別の結果、プログラム等を受け付けた場合（Ｙ）は、受け付けたプログラム等をプログラム記憶部１２３に一旦記憶する。
一方、判別の結果、プログラム等を受け付けない場合（Ｎ）は、再度勤務情報の生成要求指示を受け付けたか否かの判別（Ｓ１２１）を繰り返す。
【０１７６】
プログラム等が受け付けられると、勤務情報生成部１２５が、上記時間データ及び識別情報記憶部１２４に記憶している当該携帯電話機１２０の識別情報を含む勤務情報を生成する（Ｓ１２４）。
【０１７７】
そして、勤務情報出力表示部１２６が、携帯電話機１２０の勤務情報生成部１２５で生成された勤務情報を、当該携帯電話機２０の表示部に出力表示する（Ｓ１２５）。
これにより、携帯電話機１２０での勤務情報の請求生成処理が終了（エンド）する。
【０１７８】
そして、勤務情報はカメラ付携帯電話機３０で取得され、勤務情報収集装置（サーバ）４０へ送信されるが、これらの処理方法の一例は、前述したものと同様に示すことが出来る。
【０１７９】
このように、別の実施の形態によっても、前述の実施形態と同様の効果を奏することが出来る。
【０１８０】
次に、本発明のさらに別の実施の形態として、管理者が操作する端末側にて勤務者の識別情報を取得し、管理者が勤務情報を勤務情報収集装置へ送ることで、勤務情報を処理する場合の例について、図面を参照して説明する。図１４は、本発明に係る勤務情報処理システムの別の実施形態の例を全体的に示す概略図である。図１５は、本発明のさらに別の実施の形態に係る勤務情報処理システムに用いる勤務情報生成装置１０と勤務情報請求取得装置２２０と勤務者装置２３０と勤務情報収集装置４０をそれぞれ概略的に示すブロック図である。
また、本実施の形態の説明では、前述した実施の形態の共通する部分は同じ符号を付し、その説明は省略する。
【０１８１】
図１４に示すように、本実施の形態における勤務情報処理システムは、勤務情報生成装置としての時計付二次元コード生成装置１０と、勤務情報請求取得装置としての識別情報読取機能付携帯電話機２２０（以下、単に「管理者用携帯電話機２２０」と言う。）と、勤務者装置としての識別情報送信機能付携帯電話機２３０（以下、単に「勤務者用携帯電話機２３０」と言う。）と、勤務管理サーバ４０とにより実現される。
そして、管理者用携帯電話機２２０と勤務管理サーバ４０とは、インターネット等の所定のネットワーク５０を介して通信可能に構成されている。
なお、本実施の形態の説明では、前述した実施の形態の共通する部分は同じ符号を付し、その説明は省略する。
【０１８２】
管理者用携帯電話機２２０は、勤務先にて勤務者の出退勤といった所定の行動を確認する管理者が所持し、操作するものであって、ＣＰＵ、コンピュータプログラム、ＲＡＭ・ＲＯＭ等の記憶部により、勤務情報請求部２２１、勤務情報受付部２２２、勤務情報記憶部２２３、識別情報記憶部２２４、勤務情報出力部２２５、勤務者識別情報取得部２２６、送信先情報記憶部２２７、勤務者識別情報記憶部２２８の機能ブロックを構成することができる。
【０１８３】
勤務情報請求部２２１は、前記実施の形態での携帯電話機２０における勤務情報請求部２１と同様、上記時計付二次元コード生成装置１０に対して、当該勤務情報請求装置の識別情報を含めた勤務情報の生成を要求する処理を行う。
【０１８４】
勤務情報受付部２２２も、前記実施の形態での携帯電話機２０における勤務情報受付部２２と同様、勤務情報生成装置１０にて生成し、送信された勤務情報を受け付ける処理を行う。
勤務情報記憶部２２３も、前記実施の形態での携帯電話機２０における勤務情報記憶部２３と同様、勤務情報受付部２２２で受け付けた勤務情報を一時的に記憶する記憶部である。
【０１８５】
識別情報記憶部２２４は、当該管理者用携帯電話機２２０の識別情報を記憶する記憶部である。したがって、この識別情報は、上記勤務情報請求部２２１での勤務情報の生成要求に応じて読み出され、上記時計付二次元コード生成装置１０に対して送信される。
【０１８６】
勤務情報出力部２２５は、勤務情報受付部２２２で受け付けた勤務情報や勤務情報記憶部２２３に記憶する勤務情報を出力し、所定の送信先、例えば、勤務管理サーバ４０へ送信する処理を行う。
【０１８７】
勤務者識別情報取得部２２６は、勤務者携帯電話機２３０から当該勤務者携帯電話機２３０の電話番号やシリアルＩＤと言った識別情報を取得する処理を行う。したがって、勤務者識別情報取得部２２６は、勤務者用携帯電話機２３０にブルートゥースなど無線発信機を付けた場合、無線によって勤務情報の取得が可能となる無線受信機能を有するものを言う。なお、勤務者識別情報取得部２２６は、勤務者用携帯電話機２３０と管理者用携帯電話機２２０とを通信ケーブルによって物理的に連絡し、勤務者用携帯電話機２３０から管理者用携帯電話機２２０へ識別情報を送るようにしても良い。
【０１８８】
送信先情報記憶部２２７は、勤務情報受付部２２２にて取得した勤務情報を送信するための所定の送信先情報を記憶する記憶部である。
【０１８９】
勤務者識別情報記憶部２２８は、勤務者識別情報取得部２２６で取得した勤務者用携帯電話機２３０の識別情報を記憶する記憶部である。
【０１９０】
これらの構成により、勤務者用携帯電話機２２０は、勤務情報の生成要求時に、識別情報記憶部２２４より当該勤務者用携帯電話機２２０の識別情報を読み出し、この識別情報を伴って勤務情報請求部２２１より時計付二次元コード生成装置１０に対して勤務情報の生成を要求する。次いで、勤務者用携帯電話機２２０は、時計付二次元コード生成装置１０において生成された勤務情報を勤務情報受付部２２２にて受け付け、勤務情報記憶部２２３へ記憶する。そして、勤務者用携帯電話機２３０より識別番号を取得し、取得した識別番号を勤務者識別情報記憶部２２８に記憶させ、勤務情報出力部２２５より、勤務情報と勤務者用携帯電話機２３０の識別番号とを勤務管理サーバ４０へ送信するようにする。
【０１９１】
勤務者用携帯電話機２３０は、勤務先に勤務する従業員等の勤務者が所持し、操作するものであって、ＣＰＵ、コンピュータプログラム、ＲＡＭ・ＲＯＭ等の記憶部により、勤務者情報出力部２３１と、勤務者識別情報記憶部２３２の機能ブロックを構成することができる。
【０１９２】
勤務者情報出力部２３１は、当該勤務者用携帯電話機２３０の識別番号を出力する処理を行うものである。したがって、勤務者情報出力部２３１は、管理者用携帯電話機２２０に設けた無線受信機と無線によって勤務情報の取得が可能となる無線発信機能を有するものを言う。
【０１９３】
勤務者識別情報記憶部２３２は、当該勤務者用携帯電話機２３０の識別番号を記憶する記憶部である。
【０１９４】
次に、図１４及び図１５に示したシステムにより実行される方法の一例を、図１６に基づき説明する。図１６は、本発明の実施の形態に係る勤務情報処理システムにおいて、所定の場所に設置された時計付二次元コード生成装置１０より取得した勤務情報を、勤務者用携帯電話機２３０より取得した識別番号と共に勤務情報を勤務管理サーバ４０へ送信する場合の処理の流れを示すシーケンス図である。
【０１９５】
まず、勤務者が出勤することに伴い、勤務先の管理者が操作する管理者用携帯電話機２２０より時計付二次元コード生成装置１０に対して、勤務情報の生成を要求する（２０１）。
【０１９６】
一方、時計付二次元コード生成装置１０では、勤務情報生成要求受付部１２が管理者携帯電話機２２０からの勤務情報の生成要求を受け付ける（２０２）。
【０１９７】
勤務情報の生成要求が受け付けられると、時計付二次元コード生成装置１０では、請求装置情報抽出部１３が、受け付けた勤務情報生成要求から勤務情報請求装置である管理者用携帯電話機２２０の識別情報を抽出し、抽出した識別情報を識別情報記憶部１８に一時的に記憶する（２０３）。
【０１９８】
次いで、勤務情報生成部１４が、計時部１１を参照し、識別情報記憶部１８に記憶されている携帯電話機２０の識別情報に基づき、上記計時部１１で計時した時間データ及び当該識別情報を含んだ勤務情報を生成する（２０４）。
【０１９９】
なお、時計付二次元コード生成装置１０では、勤務情報の生成に先立って標準時刻電波受信部１６にて標準電波を受信し（Ａ）、計時情報修正部１７にて受信した標準電波に基づき計時部１１の時刻情報の修正を行う（Ｂ）。
【０２００】
そして、時計付二次元コード生成装置１０では、勤務情報送信部１５が、生成された勤務情報を勤務情報生成要求のあった当該勤務情報請求装置へ返信する（２０５）。
【０２０１】
次いで、管理者用携帯電話機２２０では、勤務情報受付部２２２が、時計付二次元コード生成装置１０より送信された勤務情報を受け付ける（２０６）。
【０２０２】
勤務情報が受け付けられると、管理者用携帯電話機２２０では、勤務情報記憶部２２３が受け付けた勤務情報を記憶する（２０７）。
【０２０３】
次いで、勤務者用携帯電話機２３０は、勤務者情報出力部２３１より、勤務者識別情報記憶部２３２に記憶する識別番号を管理者用携帯電話機２２０に対して出力する（２０８）。
【０２０４】
管理者用携帯電話機２２０では、勤務者用携帯電話機２３０から出力された当該勤務者用携帯電話機２３０の識別番号を取得する（２０９）。
【０２０５】
そして、勤務情報受付部２２２で受け付けた勤務情報と、勤務者識別情報取得部２２６で取得した勤務者用携帯電話機２３０の識別番号を勤務情報収集装置（サーバ）４０へ送信する。
【０２０６】
次いで、勤務管理サーバ４０では、管理者用携帯電話機２２０より送られた勤務情報及び勤務者用携帯電話機２３０の識別番号を勤務情報受付部４１にて受け付け収集する（２１１）。
【０２０７】
この勤務情報を受け付けると、勤務先特定部４２が、まず、受け付けた勤務情報に含まれている管理者用携帯電話機２２０の識別情報、及び時間データを抽出する（２１２）。識別情報及び時間データが抽出されると、引き続き勤務先特定部４２が、勤務地情報記憶部４４を参照して、抽出した管理者用携帯電話機２２０の識別情報に対応する管理場所情報（勤務先）を特定する（２１３）。
【０２０８】
また、勤務者用携帯電話機２３０の識別番号を受け付けると、上記場所情報の特定と平行して、勤務者特定部４３が、勤務者情報記憶部４５を参照して、取得した勤務者用携帯電話機２３０の識別番号に対応する勤務者情報を特定する（２１３）。
【０２０９】
この勤務先特定部４２により特定した勤務先と勤務者特定部４３により特定した勤務者の情報、及び勤務情報から抽出した時間データは、引き続き勤務状況記憶部４６に記録する（２１４）。
【０２１０】
そして、ここで登録された勤務情報は、要望に応じ、勤務状況通知部４７によって勤怠情報管理装置６０へ送る。その後、勤怠情報管理装置６０では、所謂インターネットタイムレコ−ダによって勤務者勤怠管理を行い、給与計算等を行うのに利用することが出来る。
【０２１１】
このように、さらに別の実施の形態によっても、前述の実施形態と同様の効果を奏することが出来る。
【０２１２】
また、勤務情報収集装置４０により勤務情報を収集することで、使用者等がその場に居なくとも確実に勤務状況を確認することが出来る。
また、勤務者に勤務情報を勤務先に到着してから即時に送信させることで、使用者等は即時に勤務者の勤務状況を把握することが出来る。これにより、例えば、勤務者が出勤していない場所には代わりの者を直ちに出勤させることなども可能になる。また、勤務者の出勤から退勤までの時間を確実に管理することが出来るため、勤務者による不正や、或はサービス残業など違法な労働状況を把握することが出来る。
【０２１３】
また、カメラ付携帯電話機３０側でＱＲコードデータをデコード処理するようにすれば、カメラ付携帯電話機３０がＱＲコードデータを読み込めなかった場合には勤務情報を送信できなくなるから、勤務者側で確実に読み込めたか否かを確認してから勤務情報を勤務情報収集装置３０に送信することが出来る。
【０２１４】
また、携帯電話機からデータを収集する方法としては、携帯電話網を通じて送信しなくとも、取得した勤務情報を携帯電話機の内部メモリに記憶しておき、これに電気的に接続可能な装置（例えば、スティックメモリ）などを接続させて、これでデータを収集しても良い。
【０２１５】
また、携帯端末機側で読み取ったＱＲコードをイメージデータとしてそのまま勤務情報収集装置へ送信し、勤務情報収集装置側でデコード処理を行うようにしても良い。
【０２１６】
また、上記実施形態では、ＱＲコード中に時刻データを含める例について説明したが、これは必ずしも必要なく、例えば、時刻に基づいて所定の乱数を発生させ、これにより勤務情報を時刻に応じて異ならせてもよい。
また、所定の暗号アルゴリズムを用いて、勤務情報を暗号化、コード化しても良い。
【０２１７】
また、携帯電話機２０の記憶部に、受け付けた勤務情報を複数記憶できるようにし、これをまとめて表示するようにしても良い。
これにより、例えば、出勤と退勤の際にそれぞれ勤務情報を生成した場合にも、これらをまとめて表示することが出来、これを一緒にカメラ付携帯電話機３０から送信することが出来、一回
【０２１８】
また、上述の実施形態では、勤務情報収集装置と勤怠情報管理装置が別体として構成された例について説明したが、これを一体として勤怠情報収集装置で、勤務者、勤務時間、勤務場所を出勤、退勤等を管理し、給与計算などの勤怠情報の処理を行うようにしてもよい。
【０２１９】
次に、本発明のさらに別の実施の形態として、勤務情報を無線により取得する場合の例について、図面を参照して説明する。図１７は、本発明の実施の形態に係る勤務情報処理システムのさらに別の一例を全体的に示す概略図である。また、図１８は、本実施の形態に係る勤務情報処理システムのさらに別の一例に用いる勤務情報生成装置と勤務情報請求装置と勤務情報取得装置と勤務情報収集装置をそれぞれ概略的に示すブロック図である。
【０２２０】
本実施形態では、勤務情報の無線通信手段として、応答機と要求機との間で電磁誘導による無線通信を行う非接触式のデータキャリアシステムとして知られているＩＣタグを用いる。詳しくは、ＩＣチップを備えたＩＣタグと、リーダ／ライタ（またはリーダ）との間でデータの更新を行うＲＦＩＤ（Radio Frequency Identification）システムを用いる。
このデータキャリアシステムは、要求機が応答機に記憶されている識別情報等の各種データを読み出すものである。
そして、図１９は、上記勤務情報生成装置で用いるＩＣタグを概略的に示すブロック図であり、図２０は、上記勤務情報請求装置で用いるＩＣタグ読取装置を概略的に示すブロック図である。
【０２２１】
本実施形態は、勤務情報生成装置として時計付二次元コード生成装置１０と、勤務情報請求装置としてＩＣタグ７０が具備された携帯電話機（以下、「ＩＣタグ付携帯電話機」と言う。）３２０と、勤務情報取得装置としてＩＣタグ読取装置８０が具備された携帯電話機（以下、「ＩＣタグ読取装置付携帯電話機」と言う。）３３０と、勤務情報収集装置として勤務管理サーバ４０とにより実現される。
この場合、ＩＣタグ読取装置付携帯電話機３３０と勤務管理サーバ４０とは、インターネット等の所定のネットワーク５０を介して通信可能に構成されている。なお、本実施の形態の説明では、前述した実施の形態の共通する部分は同じ符号を付し、その説明は省略する。
【０２２２】
時計付二次元コード生成装置１０は、従業員等の勤務者が勤務する勤務先に設置された端末であって、ＣＰＵ（Central Processing Unit）と、ＣＰＵが実行するコンピュータプログラムと、コンピュータプログラムや所定のデータを記憶することが出きるＲＡＭ、ＲＯＭなどの内部メモリなどにより図１８に示す機能ブロックを構成することができる。
【０２２３】
図１８に示した機能ブロックは、計時部１１と、勤務情報生成要求受付部１２と、請求装置情報抽出部１３と、勤務情報生成部１４と、勤務情報送信部１５と、標準時刻電波受信部１６と、計時情報修正部１７と、識別情報記憶部１８と、送信先情報記憶部１９とから構成されている。
【０２２４】
ＩＣタグ付携帯電話機３２０は、勤務先にて勤務者の出退勤といった所定の行動を確認する管理者が所持し、操作するものであって、ＣＰＵ、コンピュータプログラム、ＲＡＭ・ＲＯＭ等の記憶部により、勤務情報請求部２１と、勤務情報受付部２２と、勤務情報記憶部２３と、識別情報記憶部２４と、勤務情報出力表示部２５と、ＩＣタグ７０の機能ブロックを構成することができる。
また、ＩＣタグ付携帯電話機３２０は、図示しないが、操作部や保存部、表示部をも有する。
【０２２５】
ＩＣタグ７０は、図１９に示すように、勤務情報出力手段としてのコイル７１と、タグ側制御部７２等を備える。
コイル７１は、後述するＩＣタグ読取装置８０のコイル８１と電磁誘導による無線通信を行うためのものである。すなわち、ＩＣタグ７０にはアンテナパターンが形成されており、ＩＣチップに内蔵された容量素子とにより共振回路を形成し、ＩＣタグ読取装置８０から一定周波数の電波を受信して、ＩＣタグ７０内に記憶されているデータをＩＣタグ読取装置８０へ送信する。
【０２２６】
タグ側制御部７２は、ＩＣタグ付携帯電話機３２０自身の電源によって起動され、ＩＣタグ読取装置８０との無線通信を制御する。詳しくは、タグ側制御部７２は、生成装置情報（識別ＩＤ）記憶部７２１と、勤務情報配信プログラム７２２とを有し、時計付二次元コード生成装置１０より受け付けた勤務情報のＩＣチップへの登録・更新・削除といったＩＣチップ管理処理を行ったり、あるいは勤務情報配信プログラムに従って、ＩＣチップに登録された勤務情報を、コイル７１を介してＩＣタグ読取装置８０へ送信したりする。
【０２２７】
請求装置情報（識別ＩＤ）記憶部７２１は、個々のＩＣタグ付携帯電話機３２０を特定するための識別情報を記憶できる記憶部である。この識別情報は、個々のＩＣタグ付携帯電話機３２０に固有の情報であって、例えば、ＩＣタグ付携帯電話機３２０の出荷時に予めＲＯＭ等の内部メモリに記憶させて設定しておくことができる。
【０２２８】
勤務情報配信プログラム７２２は、勤務情報生成部７２４で生成されＩＣチップに登録された勤務情報を上述したコイル７１からＩＣタグ読取装置８０へ送信する処理を行うプログラムを記憶する記憶部である。
【０２２９】
このような構成により、まず、ＩＣタグ付携帯電話機３２０は、時計付二次元コード生成装置１０に対して勤務情報請求部２１より勤務情報を請求し、時計付二次元コード生成装置１０より受け付けた勤務情報を勤務情報受付部２２で受け付け、勤務情報記憶部２３に記憶する。そして、ＩＣタグ読取装置付携帯電話機３３０からの勤務情報取得要求に応じ、勤務情報配信プログラム７２３に従って、勤務情報記憶部２３に記憶する勤務情報をコイル７１を介してＩＣタグ読取装置付携帯電話機３３０のＩＣタグ読取装置８０へ送信する。
【０２３０】
次に、ＩＣタグ読取装置８０を組み込んだ（勤務情報取得装置としての）ＩＣタグ読取装置付携帯電話機３３０の機能構成について説明する。この携帯電話は、勤務先に勤務する従業員等の勤務者が所持し、操作するものであって、ＣＰＵ、コンピュータプログラム、ＲＡＭ・ＲＯＭ等により、勤務情報取得部３１と、勤務情報出力部３２と、識別情報記憶部３３と、送信先情報記憶部３４と、ＩＣタグ読取部８０の機能ブロックを構成することができる。
また、ＩＣタグ読取装置付携帯電話機３３０は、電子メール送受信機能を具備している。
【０２３１】
ＣＰＵは、操作部を介して入力される指示等に応じて所定のプログラムに基づいた処理を実行し、各機能部への指示やデータの転送等を行う。具体的には、たとえば、ＣＰＵは、操作部を介して入力される操作信号に応じて、ＲＯＭ内に格納された各種プログラムを読み出してＲＡＭに展開し、当該プログラムに基づく処理を実行し、処理結果を表示するための表示信号を表示部に出力して当該表示信号を表示させる。
【０２３２】
また、操作部は、数値や文字の入力、或いは機能選択等に必要なボタンを備え、押下されたボタンの押下信号等をＣＰＵに出力する処理を行う。
保存部は、携帯電話機の備える種々の機能を実現するためのプログラムやデータ等が格納されると共に、ＣＰＵが実行する各種プログラムや、これらプログラムの実行に係るデータ等を一時的に格納するメモリ領域を備える。
表示部は、たとえば、有機ＥＬ（Electro Luminescence）やＬＣＤ（Liquid  Crystal Display）等で構成された装置であり、ＣＰＵから入力される表示信号に基づいた各種画面を表示する処理を行う。この表示部としては、例えば、液晶表示パネルと、この液晶表示パネルの表示制御を行う駆動回路とから構成することができる。
【０２３３】
ＩＣタグ読取部８０は、勤務情報取得手段としてのコイル８１と、ＩＣタグ読取装置側制御部８２等を備え、ＩＣタグ７０との間でコイル８１を介して無線通信を行う。具体的には、ＩＣタグ読取装置側制御部８２は勤務情報記憶部８２１と、ＩＣタグ検知プログラム記憶部８２２とを有し、コイル８１に流す電流および電圧を制御して変化させて、ＩＣタグ７０との無線通信を実行し、ＩＣタグ７０から勤務情報を受信する。
【０２３４】
勤務情報記憶部８２１は、コイル８１を介して受信した勤務情報を記憶する記憶部である。この勤務情報記憶部８２１に記憶された勤務情報は、上述する操作部での指示により、表示部に出力させたり、通信部から勤務情報収集装置としての勤務管理サーバ４０へ送信したりすることができる。
そして、ＩＣタグ検知プログラム記憶部８２２は、コイル８１を介して受信した勤務情報を上述した勤務情報記憶部８２１へ記憶する処理を行うプログラムを記憶する記憶部である。
【０２３５】
次に、図１７乃至図２０に示したシステムにより実行される方法の一例を、図２１に基づき説明する。図２１は、本発明の実施の形態に係る勤務情報処理システムにおいて、勤務情報生成装置である時計付二次元コード生成装置１０にて生成された成勤務情報を、勤務先より勤務情報生成装置であるＩＣタグ付携帯電話機３２０により受け付け、さらに、この受け取った勤務情報を、勤務先に勤務する従業員等の勤務者が所持し操作する勤務情報取得装置としてのＩＣタグ読取装置付携帯電話機３３０で取得する場合の処理の流れを示すシーケンス図である。
【０２３６】
勤務先の管理者が操作するＩＣタグ付携帯電話機３２０より時計付二次元コード生成装置１０に対して、勤務情報の生成を要求する（３０１）。この勤務情報の生成要求は、ＩＣタグ付携帯電話機３２０の勤務情報請求部２１が、識別情報記憶部２４に記憶している当該携帯電話機３２０の識別情報を伴って行われる。
【０２３７】
一方、時計付二次元コード生成装置１０では、勤務情報生成要求受付部１２がＩＣタグ付携帯電話機３２０からの勤務情報の生成要求を受け付ける（３０２）。
【０２３８】
勤務情報の生成要求が受け付けられると、時計付二次元コード生成装置１０では、請求装置情報抽出部１３が、受け付けた勤務情報生成要求からＩＣタグ付携帯電話機３２０の識別情報を抽出し、抽出した識別情報を識別情報記憶部１８に一時的に記憶する（３０３）。
【０２３９】
次いで、勤務情報生成部１４が、計時部１１を参照し、識別情報記憶部１８に記憶されている携帯電話機２０の識別情報に基づき、上記計時部１１で計時した時間データ及び当該識別情報を含んだ勤務情報を生成する（３０４）。
【０２４０】
なお、時計付二次元コード生成装置１０では、勤務情報の生成に先立って標準時刻電波受信部１６にて標準電波を受信し（Ａ）、計時情報修正部１７にて受信した標準電波に基づき計時部１１の時刻情報の自動修正を行う（Ｂ）。
【０２４１】
そして、時計付二次元コード生成装置１０では、勤務情報送信部１５が、生成された勤務情報を勤務情報生成要求のあった当該ＩＣタグ付携帯電話機３２０へ送信する（３０５）。
この際、勤務情報生成要求受付部１２で受け付けた勤務情報の生成要求が電話によるものであったとしても、送信先情報記憶部１９を参照することで、請求装置情報抽出部１３により抽出されたＩＣタグ付携帯電話機３２０の識別情報と関連付けて記憶されている送信先情報を取得することが可能であり、生成した勤務情報を確実に送信することができる。
【０２４２】
次いで、ＩＣタグ付携帯電話機３２０では、勤務情報受付部２２が、時計付二次元コード生成装置１０より送信された勤務情報を受け付ける（３０６）。
【０２４３】
勤務情報が受け付けられると、ＩＣタグ付携帯電話機３２０では、勤務情報記憶部２３が受け付けた勤務情報を記憶する（３０７）。
【０２４４】
そして、勤務者が、ＩＣタグ付携帯電話機３２０を所有している勤務先の管理者のところへ出向き、ＩＣタグ付携帯電話機３２０に自らが所有するＩＣタグ読取装置付携帯電話機３３０をかざす様に近づけると、ＩＣタグ読取装置付携帯電話機３３０より無線にて勤務情報取得要求がＩＣタグ付携帯電話機３２０へ送信される（３０８）。
【０２４５】
ＩＣタグ付携帯電話機３２０では、ＩＣタグ読取装置付携帯電話機３３０からの勤務情報読取要求を受け、勤務情報記憶部２３で記憶された最新の勤務情報を出力送信して応答する（３０９）。
これに対し、ＩＣタグ読取装置付携帯電話機３３０では、ＩＣタグ付携帯電話機３２０からの応答を受付け、勤務情報を取得する（３１０）。
【０２４６】
次いで、ＩＣタグ読取装置付携帯電話機３３０では、取得した勤務情報に送信先情報が含まれているか否かを確認する。その結果、勤務情報に送信先情報が含まれている場合は、その送信先情報を読み取って抽出し、また、勤務情報に送信先情報が含まれていない場合は、予め当該ＩＣタグ読取装置付携帯電話機３３０に登録されている送信先情報を検索し、勤務情報の送信先を指示する。
【０２４７】
ＩＣタグ読取装置付携帯電話機３３０では、送信先情報の読み取りまたは送信先の指示がなされると、この勤務情報に当該ＩＣタグ読取装置付携帯電話機３３０の識別情報を付加した勤務情報の作成を行う。そして、この勤務情報を、勤務情報出力部３２により、読み取った送信先情報または送信指示された送信先情報に基づいて勤務管理サーバ４０へ送信する（３１１）。なお、この際、読み取った勤務情報を保存部にて一旦記憶し、後からまとめて送信するようにしてもよい。
【０２４８】
次いで、勤務管理サーバ４０では、ＩＣタグ読取装置付携帯電話機３３０より送られた勤務情報及び当該ＩＣタグ読取装置付携帯電話機３３０の識別情報を勤務情報受付部４１にて受け付け収集する（３１２１）。
【０２４９】
この勤務情報を受け付けると、勤務先特定部４２が、まず、受け付けた勤務情報に含まれているＩＣタグ付携帯電話機３２０の識別情報、及び時間データを抽出する（３１３）。識別情報及び時間データが抽出されると、引き続き勤務先特定部４２が、勤務地情報記憶部４４を参照して、抽出したＩＣタグ付携帯電話機３２０の識別情報に対応する管理場所情報（勤務先）を特定する（３１４）。
【０２５０】
また、当該ＩＣタグ読取装置付携帯電話機３３０の識別情報を受け付けると、上記場所情報の特定と平行して、勤務者特定部４３が、勤務者情報記憶部４５を参照して、取得したＩＣタグ読取装置付携帯電話機３３０の識別情報に対応する勤務者情報を特定する（３１４）。
【０２５１】
この勤務先特定部４２により特定した勤務先と勤務者特定部４３により特定した勤務者の情報、及び勤務情報から抽出した時間データは、引き続き勤務状況記憶部４６に記憶する（３１５）。
【０２５２】
そして、ここで登録された勤務情報は、要望に応じ、勤務状況通知部４７によって勤怠情報管理装置６０へ送る。その後、勤怠情報管理装置６０では、所謂インターネットタイムレコ−ダによって勤務者勤怠管理を行い、給与計算等を行うのに利用することが出来る。
【０２５３】
次に、上述の勤務情報処理システムにおける
まず、勤務情報生成装置である時計付二次元コード生成装置１０では、標準時刻電波受信部１６が、標準電波送信所１００より送られる標準電波を受信する（Ｓ３１１）。
標準時刻電波受信部１６が受信した標準時刻電波を計時情報修正部１７に送り、計時情報修正部１７が受信した標準電波に基づき計時部１１の計時情報（時刻情報）を標準時刻に修正する（Ｓ３１２）。
【０２５４】
次いで、勤務情報生成要求受付部１２では、ＩＣタグ付携帯電話機３２０から勤務情報の生成要求があったか否か判別する（Ｓ３１３）。
判別の結果、勤務情報生成要求があった場合（Ｙ）は、受け付けた勤務情報生成要求からＩＣタグ付携帯電話機３２０の識別情報を抽出する（Ｓ３１４）。
そして、抽出した識別情報を識別情報記憶部１８に一時的に記憶する。
【０２５５】
勤務情報生成部１４では、勤務情報生成プログラムに従い、所定時間毎に計時部１１が計時する現在時刻を参照する（Ｓ３１５）。これに識別情報記憶部１８に記憶されているＩＣタグ付携帯電話機３２０の識別情報を含んだ内容の勤務情報を生成する（Ｓ３１６）。
生成された勤務情報は、ＩＣタグ付携帯電話機３２０へ送信される（Ｓ３１７）。
【０２５６】
一方、判別の結果、勤務情報生成要求なかった場合（Ｎ）は、再度標準時刻電波の受信（Ｓ３１１）、計時情報の修正（Ｓ３１２）、及びＩＣタグ付携帯電話機３２０から勤務情報生成要求があったか否かの判別を繰り返す（Ｓ３１３）。
これにより、時計付二次元コード生成装置１０での一連の勤務情報の生成処理が終了（エンド）する。
【０２５７】
次に、勤務情報請求装置としてのＩＣタグ付携帯電話機３２０側の詳細な動作の一例を、図２３を参照し説明する。
まず、ＩＣタグ付携帯電話機３２０が、勤務情報の生成要求指示を受け付けたか否かを判別する（Ｓ３２１）。
【０２５８】
判別の結果、勤務情報の生成要求指示を受け付けた場合（Ｙ）は、続いて勤務情報請求部２１が、ＩＣタグ付携帯電話機３２０の識別情報記憶部２４を参照し、当該勤務情報請求装置の識別情報を含めた勤務情報の生成を時計付二次元コード生成装置１０に対して要求する（Ｓ３２２）。
一方、判別の結果、勤務情報の生成要求指示を受け付けなかった場合（Ｎ）は、再度勤務情報の生成要求指示を受け付けたか否かの判別（Ｓ３２１）を繰り返す。
【０２５９】
次いで、勤務情報受付部２２では、勤務情報の生成要求に応じて、勤務情報を受け付けたか否かを判別する（Ｓ３２３）。
判別の結果、勤務情報を受け付けた場合（Ｙ）は、受け付けた勤務情報を勤務情報記憶部２３に記憶する（Ｓ３２４）。
一方、判別の結果、勤務情報を受け付けない場合（Ｎ）は、再度勤務情報の生成要求指示を受け付けたか否かの判別（Ｓ３２１）を繰り返す。
【０２６０】
勤務情報が受け付けられると、次に、ＩＣタグ読取装置付携帯電話機３２０から勤務情報の取得要求を受け付けたか否かを判別する（Ｓ３２５）。
判別の結果、勤務情報取得要求があった場合（Ｙ）は、勤務情報受付部２２で受け付け、勤務情報記憶部２３に記憶した最新の勤務情報を、コイル７１を介して無線でＩＣタグ読取装置付携帯電話機３３０へ出力送信することにより応答する（Ｓ３２６）。
【０２６１】
一方、判別の結果、勤務情報取得要求がなかった場合（Ｎ）は、再度ＩＣタグ読取装置付携帯電話機３２０から勤務情報の取得要求を受け付けたか否かを判別を繰り返す（Ｓ３２５）。
これにより、ＩＣタグ付携帯電話機３２０での一連の勤務情報の請求処理が終了（エンド）する。
【０２６２】
次に、勤務情報取得装置としてのＩＣタグ読取装置付携帯電話機３３０側の処理方法の一例を図２４に示す。
図２４において、まず、ＩＣタグ読取装置付携帯電話機３３０より勤務情報取得指示があったか否か判別する（Ｓ３３１）。
判別の結果、勤務情報読取指示があった場合（Ｙ）は、ＩＣタグ読取プログラム記憶部８２２に記憶されたプログラムに従い、ＩＣタグ読取装置付携帯電話機３３０をかざしたＩＣタグ付携帯電話機３２０に対して勤務情報取得要求を送信する（Ｓ３３２）。
一方、判別の結果、勤務情報取得指示が無かった場合（Ｎ）は、再度勤務情報取得指示があったか否か判別を繰り返す（Ｓ３３１）。
【０２６３】
次いで、ＩＣタグ読取装置付携帯電話機３３０のＩＣタグ読取部８０が、かざしたＩＣタグ付携帯電話機３２０よりコイル８１を介して勤務情報応答を受付けたか否か判別する（Ｓ３３３）。
判別の結果、勤務情報応答を受付けた場合（Ｙ）は、勤務情報を取得し、保存部に記憶する（Ｓ３３４）。
一方、判別の結果、勤務情報応答を受付け無かった場合（Ｎ）は、再度勤務情報応答を受付けたか否か判別を繰り返す（Ｓ３３３）。
【０２６４】
勤務情報を取得すると、次に、取得した勤務情報の中に送信する勤務情報収集装置の送信先情報が含まれているか否か、送信先情報の有無を勤務情報出力部３２にて判別する（Ｓ３３５）。
判別の結果、送信先情報が含まれている場合（Ｙ）は、ＩＣタグ付携帯電話機３２０から取得した勤務情報に、識別情報記憶部３３に記憶しているＩＣタグ読取装置付携帯電話機の識別情報を付加して新たな勤務情報を生成し、この新たに生成された勤務情報を、勤務情報の中に含まれている送信先情報に基づき送信する（Ｓ３３７）。
【０２６５】
一方、送信先情報が含まれていない場合（Ｎ）は、送信先情報記憶部３４を参照し、送信先情報を抽出する（Ｓ３３６）。
そして、ＩＣタグ付携帯電話機３２０から取得した勤務情報に、識別情報記憶部３３に記憶しているＩＣタグ読取装置付携帯電話機の識別情報を付加して新たに生成した勤務情報を、抽出した送信先情報に基づき送信する（Ｓ３３７）。
これによりＩＣタグ読取装置付携帯電話機３３０での一連の処理が終了（エンド）する。
【０２６６】
このように、別の実施形態によっても、前述の各実施形態と同様の効果を奏することができる。
また、上述の各実施形態では、何れも勤務情報収集装置と勤怠情報管理装置が別体として構成された例について説明したが、これを一体として勤怠情報収集装置で、勤務者、勤務時間、勤務場所を出勤、退勤などを管理し、給与計算などの勤怠情報の処理を行うようにしてもよい。
【０２６７】
なお、本発明は勤在宅介護者やコンパニオン、技術者、ガードマン、ルート配送業者など、派遣社員や移動社員による社外での仕事（勤務行為）の勤怠管理システムに利用できる。また、本発明は、誰が何処へ行ったかが判別できるので、オリエンテーリングゲーム等の遊びにも利用することが出来る。
【図面の簡単な説明】
【０２６８】
【図１】本発明に係る勤務情報処理システムの一実施形態の例を全体的に示す概略図である。
【図２】本発明の実施の形態に係る第一のシステムの構造を概略的に説明するブロック図である。
【図３】本発明の実施の形態に係る第一のシステムにおける情報の流れを説明するシーケンス図である。
【図４】本発明の実施の形態に係る第一のシステムにおける勤務情報生成装置での手順を示すフローチャートである。
【図５】本発明の実施の形態に係る第一のシステムにおける勤務情報請求装置での手順を示すフローチャートである。
【図６】本発明の実施の形態に係る第一のシステムにおける勤務情報取得装置での手順を示すフローチャートである。
【図７】本発明の実施の形態に係る第一のシステムにおける勤務情報収集装置での手順を示すフローチャートである。
【図８】本発明の実施の形態に係る第二のシステムの構造を概略的に説明するブロック図である。
【図９】本発明の実施の形態に係る第二のシステムにおける情報の流れを説明するシーケンス図である。
【図１０】本発明の実施の形態に係る第二のシステムにおける勤務情報生成補助装置での手順を示すフローチャートである。
【図１１】本発明の実施の形態に係る第二のシステムにおける勤務情報請求生成装置での手順を示すフローチャートである。
【図１２】本発明の各実施の形態に係る勤務情報収集装置に記録される勤務地情報記憶手段の構造を示す一例である。
【図１３】本発明の各実施の形態に係る勤務情報収集装置に記録される勤務者情報記憶手段の構造を示す一例である。
【図１４】本発明に係る勤務情報処理システムの別の実施形態の例を全体的に示す概略図である。
【図１５】本発明の実施の形態に係る第三のシステムの構造を概略的に説明するブロック図である。
【図１６】本発明の実施の形態に係る第三のシステムにおける情報の流れを説明するシーケンス図である。
【図１７】本発明に係る勤務情報処理システムのさらに別の実施形態の例を全体的に示す概略図である。
【図１８】本発明の実施の形態に係る第四のシステムの構造を概略的に説明するブロック図である。
【図１９】本発明の実施の形態に係る第四のシステムで用いるＩＣタグを概略的に示すブロック図である。
【図２０】本発明の実施の形態に係る第四のシステムで用いるＩＣタグ読取装置を概略的に示すブロック図である。
【図２１】本発明の実施の形態に係る第四のシステムにおける情報の流れを説明するシーケンス図である。
【図２２】本発明の実施の形態に係る第四のシステムにおける勤務情報生成装置での手順を示すフローチャートである。
【図２３】本発明の実施の形態に係る第四のシステムにおける勤務情報請求装置での手順を示すフローチャートである。
【図２４】本発明の実施の形態に係る第四のシステムにおける勤務情報取得装置での手順を示すフローチャートである。
【符号の説明】
【０２６９】
１０・・・勤務情報生成装置（時計付二次元コード生成装置）、２０・・・勤務情報請求装置（携帯電話機）、３０・・・勤務情報取得装置（カメラ付携帯電話機）、４０・・・勤務情報収集装置（サーバ）、５０・・・ネットワーク、６０・・・勤怠情報管理装置（インターネットタイムレコ−ダ）、７０・・・ＩＣタグ、８０・・・ＩＣタグ読取装置、１００・・・標準電波送信所、１１０・・・勤務情報生成補助装置、１２０・・・勤務情報請求生成装置、２２０・・・勤務情報請求取得装置、２３０・・・勤務者装置、３２０・・・勤務情報生成装置（ＩＣタグ付携帯電話機）、３３０・・・勤務情報取得装置（ＩＣタグ読取装置付携帯電話機）。
【図１】
2006018793.tif 000003
【図２】
2006018793.tif 000004
【図３】
2006018793.tif 000005
【図４】
2006018793.tif 000006
【図５】
2006018793.tif 000007
【図６】
2006018793.tif 000008
【図７】
2006018793.tif 000009
【図８】
2006018793.tif 000010
【図９】
2006018793.tif 000011
【図１０】
2006018793.tif 000012
【図１１】
2006018793.tif 000013
【図１２】
2006018793.tif 000014
【図１３】
2006018793.tif 000015
【図１４】
2006018793.tif 000016
【図１５】
2006018793.tif 000017
【図１６】
2006018793.tif 000018
【図１７】
2006018793.tif 000019
【図１８】
2006018793.tif 000020
【図１９】
2006018793.tif 000021
【図２０】
2006018793.tif 000022
【図２１】
2006018793.tif 000023
【図２２】
2006018793.tif 000024
【図２３】
2006018793.tif 000025
【図２４】
2006018793.tif 000026